(57)【要約】  本開示は、システム情報取得方法、ユーザ端末およびネットワーク側機器を提供する。当該方法は、ユーザ端末が、ネットワーク側機器から送信されるシステム情報テーブルインデックスを受信することと、前記ユーザ端末が、前記システム情報テーブルインデックスおよび予め取得したシステム情報テーブルに基づいて、システム情報を取得することとを含む。ここで、前記システム情報テーブルは、システム情報テーブルインデックスと、システム情報と、システム情報のパラメータ設定を含む。【選択図】  図２
2019531021.tif 000002
【特許請求の範囲】
【請求項１】
ユーザ端末が、ネットワーク側機器から送信されるシステム情報テーブルインデックスを受信することと、
前記ユーザ端末が、前記システム情報テーブルインデックスおよび予め取得したシステム情報テーブルに基づいて、システム情報を取得することとを含み、
ここで、前記システム情報テーブルは、システム情報テーブルインデックスと、システム情報と、システム情報のパラメータ設定を含むシステム情報取得方法。
【請求項２】
前記システム情報テーブルは、
前記ネットワーク側機器から周期的に放送されて前記ユーザ端末によって受信されたシステム情報テーブル、
または、前記ユーザ端末によって事前に設定または記憶されたシステム情報テーブル、
または、前記ユーザ端末がダウンロードして取得したシステム情報テーブルを含む請求項１に記載の方法。
【請求項３】
前記システム情報テーブルは、前記ネットワーク側機器の周期性放送のシステム情報および／またはオンデマンドのシステム情報を含む請求項２に記載の方法。
【請求項４】
前記ユーザ端末が、前記ネットワーク側機器の周期性放送のシステム情報から取得したリソースであるシステム情報テーブル要求リソースによって、システム情報テーブル要求を前記ネットワーク側機器に送信することと、
前記ユーザ端末が、前記ネットワーク側機器から前記システム情報テーブル要求に応じて送信される前記システム情報テーブルを受信することとをさらに含む請求項１に記載の方法。
【請求項５】
前記システム情報テーブルは、前記ネットワーク側機器のオンデマンドのシステム情報を含む請求項４に記載の方法。
【請求項６】
前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する請求項１に記載の方法。
【請求項７】
前記システム情報テーブルは、有効領域とは暗示的なマッピング関係が存在し、
または、前記システム情報テーブルは、前記システム情報テーブルの有効領域の記述情報をさらに含む請求項６に記載の方法。
【請求項８】
前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む請求項７に記載の方法。
【請求項９】
前記ユーザ端末が、ネットワーク側機器から送信されるシステム情報テーブルインデックスを受信することは、
前記ユーザ端末が、ネットワーク側機器の周期性放送またはオンデマンド送信のシステム情報テーブルインデックスを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルインデックスが前記システム情報テーブルに含まれるかを判断し、そうである場合、前記システム情報テーブルが有効であると特定するが、そうでなければ、前記システム情報テーブルが無効であると特定することと、
前記システム情報テーブルが有効であれば、前記ユーザ端末が、受信した前記システム情報テーブルインデックスに対応するシステム情報を前記システム情報テーブルから検索することとを含む請求項１〜８のいずれか一項に記載の方法。
【請求項１０】
前記ユーザ端末が、前記ネットワーク側機器に対応するＩＤであって、システム情報領域ＩＤ、セルＩＤまたはネットワーク側機器ＩＤを含むＩＤを検出することと、
前記ユーザ端末が、検出したＩＤに基づいて、前記ネットワーク側機器が前記システム情報テーブルの有効領域にあるかを判断し、そうである場合、前記システム情報テーブルが有効であると特定するが、そうでなければ、前記システム情報テーブルが無効であると特定することとをさらに含み、
前記ユーザ端末が、ネットワーク側機器から送信されるシステム情報テーブルインデックスを受信することは、
前記システム情報テーブルが有効である場合、前記ユーザ端末が、ネットワーク側機器の周期性放送またはオンデマンド送信のシステム情報テーブルインデックスを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルインデックスに対応するシステム情報を前記システム情報テーブルから検索することを含む請求項１〜８のいずれか一項に記載の方法。
【請求項１１】
前記ユーザ端末が、ネットワーク側機器から送信されるシステム情報テーブルインデックスを受信することは、
前記ユーザ端末が、ネットワーク側機器の周期性放送またはオンデマンド送信のシステム情報テーブルインデックス、および、システム情報テーブルＩＤを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルＩＤが前記システム情報テーブルでのシステム情報テーブルＩＤとは同一であるかを判断し、そうである場合、前記システム情報テーブルが有効であると特定するが、そうでなければ、前記システム情報テーブルが無効であると特定することと、
前記システム情報テーブルが有効であれば、前記ユーザ端末が、受信した前記システム情報テーブルインデックスに対応するシステム情報を前記システム情報テーブルから検索することとを含む請求項１〜８のいずれか一項に記載の方法。
【請求項１２】
前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す請求項１〜８のいずれか一項に記載の方法。
【請求項１３】
前記ユーザ端末が、前記システム情報テーブルが無効であると判断した場合、新しいシステム情報テーブルを取得することをさらに含む請求項１〜８のいずれか一項に記載の方法。
【請求項１４】
ネットワーク側機器からユーザ端末にシステム情報テーブルインデックスを送信することを含み、
よって、前記ユーザ端末は、前記システム情報テーブルインデックスおよび予め取得したシステム情報テーブルに基づいて、システム情報を取得し、
ここで、前記システム情報テーブルは、システム情報テーブルインデックスと、システム情報と、システム情報のパラメータ設定を含むシステム情報取得方法。
【請求項１５】
前記システム情報テーブルは、
前記ネットワーク側機器から前記ユーザ端末への周期性放送のシステム情報テーブル、
または、前記ユーザ端末によって事前に設定または記憶されたシステム情報テーブル、
または、前記ユーザ端末がダウンロードして取得したシステム情報テーブルを含む請求項１４に記載の方法。
【請求項１６】
前記システム情報テーブルは、前記ネットワーク側機器の周期性放送のシステム情報および／またはオンデマンドのシステム情報を含む請求項１５に記載の方法。
【請求項１７】
前記ネットワーク側機器が、前記ユーザ端末からシステム情報テーブル要求リソースによって送信されるシステム情報テーブル要求を受信することと、
前記ネットワーク側機器が、前記システム情報テーブル要求に応じて前記システム情報テーブルを前記ユーザ端末に送信することとをさらに含み、
ここで、前記システム情報テーブル要求リソースは、前記ユーザ端末が前記ネットワーク側機器の周期性放送のシステム情報から取得したリソースである請求項１４に記載の方法。
【請求項１８】
前記システム情報テーブルは、前記ネットワーク側機器のオンデマンドのシステム情報を含む請求項１７に記載の方法。
【請求項１９】
前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する請求項１４に記載の方法。
【請求項２０】
前記システム情報テーブルは、有効領域とは暗示的なマッピング関係が存在し、
または、前記システム情報テーブルは、前記システム情報テーブルの有効領域の記述情報をさらに含む請求項１７に記載の方法。
【請求項２１】
前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む請求項２０に記載の方法。
【請求項２２】
前記ネットワーク側機器からシステム情報テーブルインデックスをユーザ端末に送信することは、
前記ネットワーク側機器からシステム情報テーブルインデックスを前記ユーザ端末へ周期的に放送しまたはオンデマンドで送信すること、
または、前記ネットワーク側機器からシステム情報テーブルインデックスおよびシステム情報テーブルＩＤを前記ユーザ端末へ周期的に放送し、またはオンデマンドで送信することを含む請求項１４〜２１のいずれか一項に記載の方法。
【請求項２３】
前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す請求項１４〜２１のいずれか一項に記載の方法。
【請求項２４】
ネットワーク側機器から送信されるシステム情報テーブルインデックスを受信することに用いられる第１受信モジュールと、
前記システム情報テーブルインデックスおよび予め取得したシステム情報テーブルに基づいて、システム情報を取得することに用いられる第１取得モジュールとを含み、
ここで、前記システム情報テーブルは、システム情報テーブルインデックスと、システム情報と、システム情報のパラメータ設定を含むユーザ端末。
【請求項２５】
前記システム情報テーブルは、前記ネットワーク側機器から周期的に放送されて前記ユーザ端末によって受信されたシステム情報テーブル、
または、前記ユーザ端末によって事前に設定または記憶されたシステム情報テーブル、
または、前記ユーザ端末がダウンロードして取得したシステム情報テーブルを含む請求項２４に記載のユーザ端末。
【請求項２６】
前記システム情報テーブルは、前記ネットワーク側機器の周期性放送のシステム情報および／またはオンデマンドのシステム情報を含む請求項２５に記載のユーザ端末。
【請求項２７】
前記ユーザ端末が前記ネットワーク側機器の周期性放送のシステム情報から取得したリソースであるシステム情報テーブル要求リソースによって、システム情報テーブル要求を前記ネットワーク側機器に送信することに用いられる要求モジュールと、
前記ネットワーク側機器から前記システム情報テーブル要求に応じて送信される前記システム情報テーブルを受信することに用いられる第２受信モジュールとをさらに含む請求項２４に記載のユーザ端末。
【請求項２８】
前記システム情報テーブルは、前記ネットワーク側機器のオンデマンドのシステム情報を含む請求項２７に記載のユーザ端末。
【請求項２９】
前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する請求項２４に記載のユーザ端末。
【請求項３０】
前記システム情報テーブルは、有効領域とは暗示的なマッピング関係が存在し、
または、前記システム情報テーブルは、前記システム情報テーブルの有効領域の記述情報をさらに含む請求項２９に記載のユーザ端末。
【請求項３１】
前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む請求項３０に記載のユーザ端末。
【請求項３２】
前記第１受信モジュールは、
ネットワーク側機器の周期性放送またはオンデマンド送信のシステム情報テーブルインデックスを受信することに用いられ、
前記第１取得モジュールは、
受信した前記システム情報テーブルインデックスが前記システム情報テーブルに含まれるかを判断し、そうである場合、前記システム情報テーブルが有効であると特定するが、そうでなければ、前記システム情報テーブルが無効であると特定することに用いられる第１判定ユニットと、
前記システム情報テーブルが有効であれば、受信した前記システム情報テーブルインデックスに対応するシステム情報を前記システム情報テーブルから検索することに用いられる第１検索ユニットとを含む請求項２４〜３１のいずれか一項に記載のユーザ端末。
【請求項３３】
前記ネットワーク側機器に対応するＩＤであって、システム情報領域ＩＤ、セルＩＤまたはネットワーク側機器ＩＤを含むＩＤを検出することに用いられる検出モジュールと、
検出したＩＤに基づいて、前記ネットワーク側機器が前記システム情報テーブルの有効領域にあるかを判断し、そうである場合、前記システム情報テーブルが有効であると特定するが、そうでなければ、前記システム情報テーブルが無効であると特定することに用いられる判定モジュールとをさらに含み、
前記第１受信モジュールは、
前記システム情報テーブルが有効である場合、ネットワーク側機器の周期性放送またはオンデマンド送信のシステム情報テーブルインデックスを受信することに用いられ、
前記第１取得モジュールは、
受信した前記システム情報テーブルインデックスに対応するシステム情報を前記システム情報テーブルから検索することに用いられる請求項２４〜３１のいずれか一項に記載のユーザ端末。
【請求項３４】
前記第１受信モジュールは、
ネットワーク側機器の周期性放送またはオンデマンド送信のシステム情報テーブルインデックス、および、システム情報テーブルＩＤを受信することに用いられ、
前記第１取得モジュールは、
受信した前記システム情報テーブルＩＤが前記システム情報テーブルでのシステム情報テーブルＩＤとは同一であるかを判断し、そうである場合、前記システム情報テーブルが有効であると特定するが、そうでなければ、前記システム情報テーブルが無効であると特定することに用いられる第２判定ユニットと、
前記システム情報テーブルが有効であれば、受信した前記システム情報テーブルインデックスに対応するシステム情報を前記システム情報テーブルから検索することに用いられる第２検索ユニットとを含む請求項２４〜３１のいずれか一項に記載のユーザ端末。
【請求項３５】
前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す請求項２４〜３１のいずれか一項に記載のユーザ端末。
【請求項３６】
前記ユーザ端末によって前記システム情報テーブルが無効であると判断される場合、新しいシステム情報テーブルを取得することに用いられる第２取得モジュールをさらに含む請求項２４〜３１のいずれか一項に記載のユーザ端末。
【請求項３７】
システム情報テーブルインデックスをユーザ端末に送信することに用いられる第１送信モジュールを含み、
よって、前記ユーザ端末は、前記システム情報テーブルインデックスおよび予め取得したシステム情報テーブルに基づいて、システム情報を取得し、
ここで、前記システム情報テーブルは、システム情報テーブルインデックスと、システム情報と、システム情報のパラメータ設定を含むネットワーク側機器。
【請求項３８】
前記システム情報テーブルは、
前記ネットワーク側機器から前記ユーザ端末への周期性放送のシステム情報テーブル、
または、前記ユーザ端末によって事前に設定または記憶されたシステム情報テーブル、
または、前記ユーザ端末がダウンロードして取得したシステム情報テーブルを含む請求項３７に記載のネットワーク側機器。
【請求項３９】
前記システム情報テーブルは、前記ネットワーク側機器の周期性放送のシステム情報および／またはオンデマンドのシステム情報を含む請求項３８に記載のネットワーク側機器。
【請求項４０】
前記ユーザ端末からシステム情報テーブル要求リソースによって送信されるシステム情報テーブル要求を受信することに用いられる受信モジュールと、
前記システム情報テーブル要求に応じて前記システム情報テーブルを前記ユーザ端末に送信することに用いられる第２送信モジュールとをさらに含み、
ここで、前記システム情報テーブル要求リソースは、前記ユーザ端末が前記ネットワーク側機器の周期性放送のシステム情報から取得したリソースである請求項３７に記載のネットワーク側機器。
【請求項４１】
前記システム情報テーブルは、前記ネットワーク側機器のオンデマンドのシステム情報を含む請求項４０に記載のネットワーク側機器。
【請求項４２】
前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する請求項３７に記載のネットワーク側機器。
【請求項４３】
前記システム情報テーブルは、有効領域とは暗示的なマッピング関係が存在し、
または、前記システム情報テーブルは、前記システム情報テーブルの有効領域の記述情報をさらに含む請求項４０に記載のネットワーク側機器。
【請求項４４】
前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む請求項４３に記載のネットワーク側機器。
【請求項４５】
前記第１送信モジュールは、
システム情報テーブルインデックスを前記ユーザ端末へ周期的に放送しまたはオンデマンドで送信すること、
または、システム情報テーブルインデックスおよびシステム情報テーブルＩＤを前記ユーザ端末へ周期的に放送しまたはオンデマンドで送信することに用いられる請求項３７〜４４のいずれか一項に記載のネットワーク側機器。
【請求項４６】
前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す請求項３７〜４４のいずれか一項に記載のネットワーク側機器。
【請求項４７】
プロセッサと、トランシーバと、メモリを含むユーザ端末において、
プロセッサは、メモリからプログラムを読み取って、
ネットワーク側機器から送信されるシステム情報テーブルインデックスをトランシーバで受信し、前記システム情報テーブルインデックスおよび予め取得したシステム情報テーブルに基づいて、システム情報を取得するプロセスを実行することに用いられ、
ここで、前記システム情報テーブルは、システム情報テーブルインデックスと、システム情報と、システム情報のパラメータ設定を含み、
トランシーバは、プロセッサによる制御でデータを送受信することに用いられるユーザ端末。
【請求項４８】
プロセッサと、トランシーバと、メモリを含むネットワーク側機器において、
プロセッサは、メモリからプログラムを読み取って、
システム情報テーブルインデックスをトランシーバでユーザ端末に送信するプロセスを実行することに用いられ、
よって、前記ユーザ端末は、前記システム情報テーブルインデックスおよび予め取得したシステム情報テーブルに基づいて、システム情報を取得し、
ここで、前記システム情報テーブルは、システム情報テーブルインデックスと、システム情報と、システム情報のパラメータ設定を含み、
トランシーバは、プロセッサによる制御でデータを送受信することに用いられるネットワーク側機器。
【発明の詳細な説明】
【技術分野】
【０００１】
本願は、２０１６年９月３０日に中国特許庁に提出された中国特許出願２０１６１０８７４４４３．２の優先権を主張し、その全ての内容が援用によりここに取り込まれる。
本開示は、通信技術分野に係り、特にシステム情報取得方法、ユーザ端末およびネットワーク側機器に係る。
【背景技術】
【０００２】
無線通信システムのシステム情報（ＳＩ）（Ｓｙｓｔｅｍ  Ｉｎｆｏｒｍａｔｉｏｎ）は、主にマスタ情報ブロック（ＭＩＢ）（Ｍａｓｔｅｒ  Ｉｎｆｏｒｍａｔｉｏｎ  Ｂｌｏｃｋ）と複数のシステム情報ブロック（ＳＩＢｓ）（Ｓｙｓｔｅｍ  Ｉｎｆｏｒｍａｔｉｏｎ  Ｂｌｏｃｋｓ）に分けられ、システム情報ブロックにＳＩＢ１〜ＳＩＢ２０のシステム情報が含まれる。実際の応用の多くのシーンでは、システム情報の放送が必要である。例えば、ＵＥが新たに１つのセルにアクセスし、または放送メッセージに変化が生じると、システム情報が放送される。現在、毎回の放送では、すべてのシステム情報が放送され、すなわちＭＩＢ、ＳＩＢ１、および、ＳＩＢ２〜ＳＩＢ２０が含まれるＳＩのシステム情報が含まれるが、もちろん、それ以上の拡張も可能である。現在の無線通信システムではシステム情報が周期的に放送され、かつ無線通信システムのサービス多様化および端末の種類が進化し続けるにつれてシステム情報の内容がますます多くなる可能性があるため、システム情報のコストは、ますます大きくなる。現在の無線通信システムでは、システム情報のコストが過大であるという問題が存在することが分かる。
【発明の概要】
【発明が解決しようとする課題】
【０００３】
本開示の目的は、無線通信システムに存在するシステム情報コストが過大である問題を解決したシステム情報取得方法、ユーザ端末およびネットワーク側機器を提供することにある。
【課題を解決するための手段】
【０００４】
上記目的を達成するために、本開示の実施例は、システム情報取得方法を提供する。
当該方法は、
ユーザ端末が、ネットワーク側機器から送信されるシステム情報テーブルインデックスを受信することと、
前記ユーザ端末が、前記システム情報テーブルインデックスおよび予め取得したシステム情報テーブルに基づいて、システム情報を取得することとを含み、
ここで、前記システム情報テーブルは、システム情報テーブルインデックスと、システム情報と、システム情報のパラメータ設定を含む。
【０００５】
選択可能に、前記システム情報テーブルは、
前記ネットワーク側機器から周期的に放送されて前記ユーザ端末によって受信されたシステム情報テーブル、
または、前記ユーザ端末によって事前に設定または記憶されたシステム情報テーブル、
または、前記ユーザ端末がダウンロードして取得したシステム情報テーブルを含む。
【０００６】
選択可能に、前記システム情報テーブルは、前記ネットワーク側機器の周期性放送のシステム情報および／またはオンデマンドのシステム情報を含む。
【０００７】
選択可能に、前記方法は、前記ユーザ端末が、前記ネットワーク側機器の周期性放送のシステム情報から取得したリソースであるシステム情報テーブル要求リソースによって、システム情報テーブル要求を前記ネットワーク側機器に送信することと、
前記ユーザ端末が、前記ネットワーク側機器から前記システム情報テーブル要求に応じて送信される前記システム情報テーブルを受信することとをさらに含む。
【０００８】
選択可能に、前記システム情報テーブルは、前記ネットワーク側機器のオンデマンドのシステム情報を含む。
【０００９】
選択可能に、前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する。
【００１０】
選択可能に、前記システム情報テーブルは、有効領域とは暗示的なマッピング関係が存在し、
または、前記システム情報テーブルは、前記システム情報テーブルの有効領域の記述情報をさらに含む。
【００１１】
選択可能に、前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【００１２】
選択可能に、前記ユーザ端末が、ネットワーク側機器から送信されるシステム情報テーブルインデックスを受信することは、
前記ユーザ端末が、ネットワーク側機器の周期性放送またはオンデマンド送信のシステム情報テーブルインデックスを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルインデックスが前記システム情報テーブルに含まれるかを判断し、そうである場合、前記システム情報テーブルが有効であると特定するが、そうでなければ、前記システム情報テーブルが無効であると特定することと、
前記システム情報テーブルが有効であれば、前記ユーザ端末が、受信した前記システム情報テーブルインデックスに対応するシステム情報を前記システム情報テーブルから検索することとを含む。
【００１３】
選択可能に、前記方法は、前記ユーザ端末が、前記ネットワーク側機器に対応するＩＤであって、システム情報領域ＩＤ、セルＩＤまたはネットワーク側機器ＩＤを含むＩＤを検出することと、
前記ユーザ端末が、検出したＩＤに基づいて、前記ネットワーク側機器が前記システム情報テーブルの有効領域にあるかを判断し、そうである場合、前記システム情報テーブルが有効であると特定するが、そうでなければ、前記システム情報テーブルが無効であると特定することとをさらに含み、
前記ユーザ端末が、ネットワーク側機器から送信されるシステム情報テーブルインデックスを受信することは、
前記システム情報テーブルが有効である場合、前記ユーザ端末が、ネットワーク側機器の周期性放送またはオンデマンド送信のシステム情報テーブルインデックスを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルインデックスに対応するシステム情報を前記システム情報テーブルから検索することを含む。
【００１４】
選択可能に、前記ユーザ端末が、ネットワーク側機器から送信されるシステム情報テーブルインデックスを受信することは、
前記ユーザ端末が、ネットワーク側機器の周期性放送またはオンデマンド送信のシステム情報テーブルインデックス、および、システム情報テーブルＩＤを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルＩＤが前記システム情報テーブルでのシステム情報テーブルＩＤとは同一であるかを判断し、そうである場合、前記システム情報テーブルが有効であると特定するが、そうでなければ、前記システム情報テーブルが無効であると特定することと、
前記システム情報テーブルが有効であれば、前記ユーザ端末が、受信した前記システム情報テーブルインデックスに対応するシステム情報を前記システム情報テーブルから検索することとを含む。
【００１５】
選択可能に、前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す。
【００１６】
選択可能に、前記方法は、前記ユーザ端末が、前記システム情報テーブルが無効であると判断した場合、新しいシステム情報テーブルを取得することをさらに含む。
【００１７】
本開示の実施例は、システム情報取得方法をさらに提供する。
当該方法は、ネットワーク側機器からユーザ端末にシステム情報テーブルインデックスを送信することを含み、
よって、前記ユーザ端末は、前記システム情報テーブルインデックスおよび予め取得したシステム情報テーブルに基づいて、システム情報を取得し、
ここで、前記システム情報テーブルは、システム情報テーブルインデックスと、システム情報と、システム情報のパラメータ設定を含む。
【００１８】
選択可能に、前記システム情報テーブルは、
前記ネットワーク側機器から前記ユーザ端末への周期性放送のシステム情報テーブル、
または、前記ユーザ端末によって事前に設定または記憶されたシステム情報テーブル、
または、前記ユーザ端末がダウンロードして取得したシステム情報テーブルを含む。
【００１９】
選択可能に、前記システム情報テーブルは、前記ネットワーク側機器の周期性放送のシステム情報および／またはオンデマンドのシステム情報を含む。
【００２０】
選択可能に、前記方法は、前記ネットワーク側機器が、前記ユーザ端末からシステム情報テーブル要求リソースによって送信されるシステム情報テーブル要求を受信することと、
前記ネットワーク側機器が、前記システム情報テーブル要求に応じて前記システム情報テーブルを前記ユーザ端末に送信することとをさらに含み、
ここで、前記システム情報テーブル要求リソースは、前記ユーザ端末が前記ネットワーク側機器の周期性放送のシステム情報から取得したリソースである。
【００２１】
選択可能に、前記システム情報テーブルは、前記ネットワーク側機器のオンデマンドのシステム情報を含む。
【００２２】
選択可能に、前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する。
【００２３】
選択可能に、前記システム情報テーブルは、有効領域とは暗示的なマッピング関係が存在し、
または、前記システム情報テーブルは、前記システム情報テーブルの有効領域の記述情報をさらに含む。
【００２４】
選択可能に、前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【００２５】
選択可能に、前記ネットワーク側機器からシステム情報テーブルインデックスをユーザ端末に送信することは、
前記ネットワーク側機器からシステム情報テーブルインデックスを前記ユーザ端末へ周期的に放送しまたはオンデマンドで送信すること、
または、前記ネットワーク側機器からシステム情報テーブルインデックスおよびシステム情報テーブルＩＤを前記ユーザ端末へ周期的に放送しまたはオンデマンドで送信することを含む。
【００２６】
選択可能に、前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す。
【００２７】
本開示の実施例は、ユーザ端末をさらに提供する。
当該ユーザ端末は、
ネットワーク側機器から送信されるシステム情報テーブルインデックスを受信することに用いられる第１受信モジュールと、
前記システム情報テーブルインデックスおよび予め取得したシステム情報テーブルに基づいて、システム情報を取得することに用いられる第１取得モジュールとを含み、
ここで、前記システム情報テーブルは、システム情報テーブルインデックスと、システム情報と、システム情報のパラメータ設定を含む。
【００２８】
選択可能に、前記システム情報テーブルは、前記ネットワーク側機器から周期的に放送されて前記ユーザ端末によって受信されたシステム情報テーブル、
または、前記ユーザ端末によって事前に設定または記憶されたシステム情報テーブル、
または、前記ユーザ端末がダウンロードして取得したシステム情報テーブルを含む。
【００２９】
選択可能に、前記システム情報テーブルは、前記ネットワーク側機器の周期性放送のシステム情報および／またはオンデマンドのシステム情報を含む。
【００３０】
選択可能に、前記ユーザ端末は、
前記ユーザ端末が前記ネットワーク側機器の周期性放送のシステム情報から取得したリソースであるシステム情報テーブル要求リソースによって、システム情報テーブル要求を前記ネットワーク側機器に送信することに用いられる要求モジュールと、
前記ネットワーク側機器から前記システム情報テーブル要求に応じて送信される前記システム情報テーブルを受信することに用いられる第２受信モジュールとをさらに含む。
【００３１】
選択可能に、前記システム情報テーブルは、前記ネットワーク側機器のオンデマンドのシステム情報を含む。
【００３２】
選択可能に、前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する。
【００３３】
選択可能に、前記システム情報テーブルは、有効領域とは暗示的なマッピング関係が存在し、
または、前記システム情報テーブルは、前記システム情報テーブルの有効領域の記述情報をさらに含む。
【００３４】
選択可能に、前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【００３５】
選択可能に、前記第１受信モジュールは、
ネットワーク側機器の周期性放送またはオンデマンド送信のシステム情報テーブルインデックスを受信することに用いられ、
前記第１取得モジュールは、
受信した前記システム情報テーブルインデックスが前記システム情報テーブルに含まれるかを判断し、そうである場合、前記システム情報テーブルが有効であると特定するが、そうでなければ、前記システム情報テーブルが無効であると特定することに用いられる第１判定ユニットと、
前記システム情報テーブルが有効であれば、受信した前記システム情報テーブルインデックスに対応するシステム情報を前記システム情報テーブルから検索することに用いられる第１検索ユニットとを含む。
【００３６】
選択可能に、前記ユーザ端末は、
前記ネットワーク側機器に対応するＩＤであって、システム情報領域ＩＤ、セルＩＤまたはネットワーク側機器ＩＤを含むＩＤを検出することに用いられる検出モジュールと、
検出したＩＤに基づいて、前記ネットワーク側機器が前記システム情報テーブルの有効領域にあるかを判断し、そうである場合、前記システム情報テーブルが有効であると特定するが、そうでなければ、前記システム情報テーブルが無効であると特定することに用いられる判定モジュールとをさらに含み、
前記第１受信モジュールは、
前記システム情報テーブルが有効である場合、ネットワーク側機器の周期性放送またはオンデマンド送信のシステム情報テーブルインデックスを受信することに用いられ、
前記第１取得モジュールは、
受信した前記システム情報テーブルインデックスに対応するシステム情報を前記システム情報テーブルから検索することに用いられる。
【００３７】
選択可能に、前記第１受信モジュールは、
ネットワーク側機器の周期性放送またはオンデマンド送信のシステム情報テーブルインデックス、および、システム情報テーブルＩＤを受信することに用いられ、
前記第１取得モジュールは、
受信した前記システム情報テーブルＩＤが前記システム情報テーブルでのシステム情報テーブルＩＤとは同一であるかを判断し、そうである場合、前記システム情報テーブルが有効であると特定するが、そうでなければ、前記システム情報テーブルが無効であると特定することに用いられる第２判定ユニットと、
前記システム情報テーブルが有効であれば、受信した前記システム情報テーブルインデックスに対応するシステム情報を前記システム情報テーブルから検索することに用いられる第２検索ユニットとを含む。
【００３８】
選択可能に、前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す。
【００３９】
選択可能に、前記ユーザ端末は、
前記ユーザ端末によって前記システム情報テーブルが無効であると判断される場合、新しいシステム情報テーブルを取得することに用いられる第２取得モジュールをさらに含む。
【００４０】
本開示の実施例は、ネットワーク側機器をさらに提供する。
当該ネットワーク側機器は、
システム情報テーブルインデックスをユーザ端末に送信することに用いられる第１送信モジュールを含み、
よって、前記ユーザ端末は、前記システム情報テーブルインデックスおよび予め取得したシステム情報テーブルに基づいて、システム情報を取得し、
ここで、前記システム情報テーブルは、システム情報テーブルインデックスと、システム情報と、システム情報のパラメータ設定を含む。
【００４１】
選択可能に、前記システム情報テーブルは、
前記ネットワーク側機器から前記ユーザ端末への周期性放送のシステム情報テーブル、
または、前記ユーザ端末によって事前に設定または記憶されたシステム情報テーブル、
または、前記ユーザ端末がダウンロードして取得したシステム情報テーブルを含む。
【００４２】
選択可能に、前記システム情報テーブルは、前記ネットワーク側機器の周期性放送のシステム情報および／またはオンデマンドのシステム情報を含む。
【００４３】
選択可能に、前記ネットワーク側機器は、
前記ユーザ端末からシステム情報テーブル要求リソースによって送信されるシステム情報テーブル要求を受信することに用いられる受信モジュールと、
前記システム情報テーブル要求に応じて前記システム情報テーブルを前記ユーザ端末に送信することに用いられる第２送信モジュールとをさらに含み、
ここで、前記システム情報テーブル要求リソースは、前記ユーザ端末が前記ネットワーク側機器の周期性放送のシステム情報から取得したリソースである。
【００４４】
選択可能に、前記システム情報テーブルは、前記ネットワーク側機器のオンデマンドのシステム情報を含む。
【００４５】
選択可能に、前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する。
【００４６】
選択可能に、前記システム情報テーブルは、有効領域とは暗示的なマッピング関係が存在し、
または、前記システム情報テーブルは、前記システム情報テーブルの有効領域の記述情報をさらに含む。
【００４７】
選択可能に、前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【００４８】
選択可能に、前記第１送信モジュールは、
システム情報テーブルインデックスを前記ユーザ端末へ周期的に放送し、またはオンデマンドで送信すること、
または、システム情報テーブルインデックスおよびシステム情報テーブルＩＤを前記ユーザ端末へ周期的に放送し、またはオンデマンドで送信することに用いられる。
【００４９】
選択可能に、前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す。
【００５０】
本開示の実施例は、プロセッサとトランシーバとメモリを含むユーザ端末をさらに提供する。
ユーザ端末において、プロセッサは、メモリからプログラムを読み取って、
ネットワーク側機器から送信されるシステム情報テーブルインデックスをトランシーバで受信し、前記システム情報テーブルインデックスおよび予め取得したシステム情報テーブルに基づいて、システム情報を取得するプロセスを実行することに用いられ、
ここで、前記システム情報テーブルは、システム情報テーブルインデックスと、システム情報と、システム情報のパラメータ設定を含み、
トランシーバは、プロセッサによる制御でデータを送受信することに用いられる。
【００５１】
本開示の実施例は、プロセッサとトランシーバとメモリを含むネットワーク側機器をさらに提供する。
ネットワーク側機器において、プロセッサは、メモリからプログラムを読み取って、
システム情報テーブルインデックスをトランシーバでユーザ端末に送信するプロセスを実行することに用いられ、
よって、前記ユーザ端末は、前記システム情報テーブルインデックスおよび予め取得したシステム情報テーブルに基づいて、システム情報を取得し、
ここで、前記システム情報テーブルは、システム情報テーブルインデックスと、システム情報と、システム情報のパラメータ設定を含み、
トランシーバは、プロセッサによる制御でデータを送受信することに用いられる。
【発明の効果】
【００５２】
本開示の実施例において、ユーザ端末は、ネットワーク側機器から送信されるシステム情報テーブルインデックスを受信し、前記システム情報テーブルインデックスおよび予め取得したシステム情報テーブルに基づいてシステム情報を取得する。ここで、前記システム情報テーブルは、システム情報テーブルインデックスと、システム情報と、システム情報のパラメータ設定を含む。このように、システム情報テーブルインデックスのみを伝送することで、ユーザ端末は、システム情報を取得することができる。すべてのシステム情報の周期的放送が必要である従来技術に比べ、本開示の実施例によれば、システム情報のコストを軽減することができる。
【図面の簡単な説明】
【００５３】
【図１】図１は、本開示の実施例におけるネットワーク構造図である。
【図２】図２は、本開示の実施例におけるシステム情報取得方法のフローチャートである。
【図３】図３は、本開示の実施例における別のシステム情報取得方法のフローチャートである。
【図４】図４は、本開示の実施例におけるユーザ端末の構造図である。
【図５】図５は、本開示の実施例における別のユーザ端末の構造図である。
【図６】図６は、本開示の実施例における別のユーザ端末の構造図である。
【図７】図７は、本開示の実施例における別のユーザ端末の構造図である。
【図８】図８は、本開示の実施例における別のユーザ端末の構造図である。
【図９】図９は、本開示の実施例における別のユーザ端末の構造図である。
【図１０】図１０は、本開示の実施例におけるネットワーク側機器の構造図である。
【図１１】図１１は、本開示の実施例における別のネットワーク側機器の構造図である。
【図１２】図１２は、本開示の実施例における別のユーザ端末の構造図である。
【図１３】図１３は、本開示の実施例における別のネットワーク側機器の構造図である。
【発明を実施するための形態】
【００５４】
本開示の解決しようとする課題、技術手段および利点をより明確にするために、以下、図面および具体的な実施例に関連して詳細に記載する。
【００５５】
図１を参照する。図１は、本開示の実施例におけるネットワーク構造図である。図１に示すように、１つまたは複数のユーザ端末１１とネットワーク側機器１２が含まれるが、１つのユーザ端末（ＵＥ）（Ｕｓｅｒ  Ｅｑｕｉｐｍｅｎｔ）１１を例として図示する。ここで、ユーザ端末１１は、たとえば携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、パーソナルデジタルアシスタント（ＰＤＡ）（ｐｅｒｓｏｎａｌ  ｄｉｇｉｔａｌ  ａｓｓｉｓｔａｎｔ）、モバイルインターネットデバイス（ＭＩＤ）（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例では、ユーザ端末１１の具体的な種類を限定しない。ユーザ端末１１は、ネットワーク側機器１２との通信の確立が可能である。ここで、図示のネットワークは、ユーザ端末１１とネットワーク側機器１２の間で無線で通信を確立することを示す。ネットワーク側機器１２は、たとえば基地局である。基地局は、たとえば、ＬＴＥ（登録商標）  ｅＮＢ、５Ｇ  ＮＲ  ＮＢなどのマクロ基地局や、低電力ノード（ＬＰＮ）（ｌｏｗ  ｐｏｗｅｒ  ｎｏｄｅ）ｐｉｃｏ、ｆｅｍｔｏなどのスモール基地局であり、またはアクセスポイント（ＡＰ）（ａｃｃｅｓｓ  ｐｏｉｎｔ）である。ネットワーク側機器１２は、中央ユニット（ＣＵ）（ｃｅｎｔｒａｌ  ｕｎｉｔ）およびその管理／制御下の複数の伝送受信ポイント（ＴＲＰ）（Ｔｒａｎｓｍｉｓｓｉｏｎ  Ｒｅｃｅｐｔｉｏｎ  Ｐｏｉｎｔ）からなるネットワークノードであってもよい。また、１つの基地局の配下に１つまたは複数のセル（例えば異なる周波数点またはセクタ分割）を有する。なお、本開示の実施例では、ネットワーク側機器１２の具体的な種類を限定しない。
【００５６】
図２を参照する。本開示の実施例は、システム情報取得方法を提供する。図２に示すように、ユーザ端末が、ネットワーク側機器から送信されるシステム情報テーブルインデックス（ＳＩ  ｔａｂｌｅ  ｉｎｄｅｘ）を受信するステップ２０１と、前記ユーザ端末が、前記システム情報テーブルインデックスおよび予め取得したシステム情報テーブル（ＳＩ  ｔａｂｌｅ）に基づいて、システム情報を取得するステップ２０２とを含む。ここで、前記システム情報テーブルは、システム情報テーブルインデックスと、システム情報と、システム情報のパラメータ設定を含む。
【００５７】
本開示の実施例において、上記システム情報テーブルインデックスは、１つまたは複数のシステム情報のインデックスを含み、たとえば、ＭＩＢおよびＳＩＢ１〜ＳＩＢ２０のうちの１つまたは複数のシステム情報のインデックスが含まれる。または、上記システム情報テーブルインデックスは、１組または複数組のシステム情報のインデックスを含む。しかも、上記システム情報テーブルインデックスは、システム情報を示し、さらに、示しているシステム情報のパラメータ設定のすべてまたは一部を示す。なお、前記システム情報テーブルに含まれるパラメータ設定は、システム情報テーブルに含まれるシステム情報のパラメータ設定である。しかも、本開示の実施例において、システム情報は、ＭＩＢおよびＳＩＢ１〜ＳＩＢ２０に限定されず、たとえばＳＩＢｎ（ｎ：２０より大きい整数）や、将来の無線通信システムの発展に適して拡張されるシステム情報であってもよい。または、上記システム情報テーブルインデックスは、上記ネットワーク側機器のオンデマンドのシステム情報（ｏｎ−ｄｅｍａｎｄ  ＳＩ）のうちのすべてまたは一部のシステム情報のインデックスを含んでもよい。ここで、オンデマンドのシステム情報は、ネットワーク側機器のシステム情報のうちの一部のシステム情報、または、ネットワーク側機器の周期性放送のシステム情報（ｐｅｒｉｏｄｉｃ  ｂｒｏａｄｃａｓｔ  ＳＩ）以外のシステム情報である。また、上記システム情報テーブルインデックスは、上記ネットワーク側機器の周期性放送のシステム情報（ｐｅｒｉｏｄｉｃ  ｂｒｏａｄｃａｓｔ  ＳＩ）のうちのすべてまたは一部のシステム情報のインデックスを含んでもよい。ここで、周期性放送のシステム情報（ｐｅｒｉｏｄｉｃ  ｂｒｏａｄｃａｓｔ  ＳＩ）は、ネットワーク側機器のシステム情報のうち、周期的に放送されるシステム情報であり、たとえば、オンデマンドのシステム情報以外のシステム情報、または、たとえばＭＩＢ、ＳＩＢ１およびＳＩＢ２のうちのすべてまたは一部の内容であり、ユーザ端末がセルに滞在して滞在セルにアクセスするシステム情報、または、ＵＥがセルに滞在して滞在セルにアクセスするのに必要なシステム情報などである。また、オンデマンドのシステム情報（ｏｎ−ｄｅｍａｎｄ  ＳＩ）は、オンデマンド方式で伝送されるシステム情報と理解してもよい。
【００５８】
ユーザ端末が上記システム情報テーブルインデックスを受信すると、上記システム情報テーブルにシステム情報テーブルインデックスと、システム情報と、システム情報のパラメータ設定が含まれるため、ステップ２０１で受信したシステム情報テーブルインデックスが当該システム情報テーブルのインデックスに該当する場合、ステップ２０２で対応するシステム情報および対応するパラメータ設定を取得することができる。もちろん、ステップ２０１で受信したシステム情報テーブルインデックスが当該システム情報テーブルのインデックスに該当しない場合、ステップ２０２において、当該システム情報テーブルのシステム情報を取得せず、別のシステム情報テーブルを新たに取得してもよい。
【００５９】
なお、上記予め取得したシステム情報テーブルは、ステップ２０２の実行前に取得したシステム情報テーブルであり、または、ステップ２０１の実行前に取得したシステム情報テーブルであると理解できる。
【００６０】
本開示の実施例において、上記ステップによって、ユーザ端末とネットワーク側機器との間でシステム情報テーブルインデックスを伝送することができ、ユーザ端末がシステム情報を取得することができるので、システム情報の全体的なリソースコストを低減させ、システム全体のリソース利用率を向上させ、従来技術と比べより効果的であり、実用性がある。
【００６１】
選択可能に、前記システム情報テーブルは、前記ネットワーク側機器から周期的に放送されて前記ユーザ端末によって受信されたシステム情報テーブル、または、前記ユーザ端末によって事前に設定または記憶されたシステム情報テーブル、または、前記ユーザ端末がダウンロードして取得したシステム情報テーブルを含む。
【００６２】
当該実施例において、前記システム情報テーブルは、前記ネットワーク側機器から周期的に放送されてユーザ端末によって受信されたシステム情報テーブルとして実現され、すなわちネットワーク側機器から周期的に放送されて送信されるシステム情報テーブルである。また、システム情報テーブルの内容が比較的大きいため、システム情報テーブルの放送周期は、比較的長く、たとえば数百ミリ秒レベルまたは秒レベルなどである。しかも、システム情報テーブルは、ユーザ端末によって事前に設定または記憶されたシステム情報テーブルとして実現されてもよい。たとえば、３ＧＰＰ（登録商標）プロトコルでは、システム情報テーブルおよびデフォルトのパラメータ設定が定義されている。ユーザ端末のメーカーによって、ユーザ端末の内部には、システム情報テーブルが事前に設定または記憶されている。しかも、システム情報テーブルは、プロトコルで定義されているすべてまたは一部のシステム情報およびそのパラメータ設定を含んでもよい。事前に設定または記憶する方式によって、ユーザ端末がネットワーク伝送リソースを占用する必要がなく、ネットワークリソース節約の目的を達成することができる。もちろん、事前に設定または記憶する方式では、ユーザ端末は、上記システム情報テーブルを一定の時間を空けて更新してもよい。
【００６３】
また、当該実施例において、ユーザ端末がダウンロードして上記システム情報テーブルを取得してもよい。ここで、ユーザ端末は、非３ＧＰＰアクセスによって上記システム情報テーブルをダウンロードし、たとえば、ＵＲＬ（Ｕｎｉｆｏｒｍ  Ｒｅｓｏｕｒｃｅ  Ｌｏｃａｔｏｒ）方式で上記システム情報テーブルをダウンロードする。もちろん、一部のシーンでは、３ＧＰＰアクセスによって上記システム情報テーブルをダウンロードしてもよいが、これについて本開示の実施例で限定しない。
【００６４】
選択可能に、上記実施形態において、前記システム情報テーブルは、前記ネットワーク側機器の周期性放送のシステム情報および／またはオンデマンドのシステム情報を含む。
【００６５】
よって、ユーザ端末は、システム情報テーブルインデックス方式で、ネットワーク側機器の周期性放送のシステム情報を取得し、または、ネットワーク側機器の周期性放送のシステム情報およびオンデマンドのシステム情報を取得し、または、ネットワーク側機器のオンデマンドのシステム情報を取得する。たとえば、上記システム情報テーブルは、上記ネットワーク側機器のすべてのシステム情報、または、すべての周期性放送のシステム情報、またはすべてのオンデマンドのシステム情報を含むが、もちろん、一部を含んでもよい。
【００６６】
選択可能に、上記方法は、前記ユーザ端末が、前記ネットワーク側機器の周期性放送のシステム情報から取得したリソースであるシステム情報テーブル要求リソースによって、システム情報テーブル要求（ＳＩ  ｔａｂｌｅ  ｒｅｑｕｅｓｔ）を前記ネットワーク側機器に送信することと、前記ユーザ端末が、前記ネットワーク側機器から前記システム情報テーブル要求に応じて送信される前記システム情報テーブルを受信することとをさらに含む。
【００６７】
ここで、上記システム情報テーブル要求リソースは、上記ネットワーク側機器から周期性放送のシステム情報で指示したリソースであり、または、ユーザ端末が前記ネットワーク側機器の周期性放送のシステム情報から特定したリソースである。当該実施形態において、ユーザ端末は、ネットワーク側機器から配信するシステム情報テーブルを要求／応答方式で受信できるので、上記システム情報テーブルをオンデマンド送信でき、ネットワークリソースコストを節約する。
【００６８】
選択可能に、上記実施形態において、前記システム情報テーブルは、前記ネットワーク側機器のオンデマンドのシステム情報を含む。たとえば、上記システム情報テーブルは、前記ネットワーク側機器のすべてまたは一部のオンデマンドのシステム情報を含む。
【００６９】
選択可能に、前記システム情報テーブルには、有効領域（ｖａｌｉｄ  ａｒｅａ）が存在する。ここで、前記有効領域は、１つまたは複数のシステム情報領域（ＳＩＡ）（Ｓｙｓｔｅｍ  ｉｎｆｏｒｍａｔｉｏｎ  Ａｒｅａ）を含み、前記１つまたは複数のシステム情報領域が同一の前記システム情報テーブルを有する。または、前記有効領域は、１つまたは複数のセルを含み、前記１つまたは複数のセルが同一の前記システム情報テーブルを有する。または、前記有効領域は、１つまたは複数のネットワーク側機器を含み、前記１つまたは複数のネットワーク側機器が同一の前記システム情報テーブルを有する。
【００７０】
当該実施形態において、上記システム情報テーブルは、上記有効領域で有効である。このように、当該システム情報テーブルに上記有効領域内のシステム情報のみを含んでもよいため、システム情報テーブルに過多のシステム情報を含むことによるユーザ端末の記憶リソースおよびネットワーク伝送リソースの無駄使いが避けられる。
【００７１】
ここで、本開示の実施例において、システム情報領域は、システム情報の完全同一またはほぼ同一の領域を指す。たとえば、システム情報領域は、１つまたは複数のセル（Ｃｅｌｌ）を含み、かつ１つのシステム情報領域内の各セルのシステム情報が完全同一またはほぼ同一である。または、システム情報領域は、１つまたは複数のネットワーク側機器を含み、かつ１つのシステム情報領域内の各ネットワーク側機器のシステム情報が完全同一またはほぼ同一である。
【００７２】
また、セルは、５Ｇ  Ｎｅｗ  Ｒａｄｉｏ  （ＮＲ）  ＮｏｄｅＢ  （ＮＢ）の配下のセルや、ＣＵによって管理・制御される１つまたは複数のＴＲＰｓの配下のセルであってもよい。周波数点＋物理セルＩＤ（ＰＣＩ：Ｐｈｙｓｉｃａｌ  Ｃｅｌｌ  Ｉｄｅｎｔｉｆｉｅｒ）の方式でセルを識別し、ＵＥは、対応する周波数点で当該セルおよびＰＣＩを検索することができる。ＳＩＡに１つのセルしか含まない場合、ＳＩＡは、セルに等価である。上記ネットワーク側機器は、ＬＴＥ  ｅＮＢ、５Ｇ  ＮＲ  ＮＢ、ＡＰ、ＣＵまたはＴＲＰなどのネットワーク側機器である。
【００７３】
当該実施形態において、１つのシステム情報テーブルは、１つまたは複数のシステム情報領域、または、１つまたは複数のセル、または、１つまたは複数のネットワーク側機器の応用が可能であり、さらにネットワーク伝送リソースのコストを低減させることができる。ユーザ端末がこれらのシステム情報領域またはセルまたはネットワーク側機器で移動する際にシステム情報テーブルの新規取得が必要でないからである。
【００７４】
選択可能に、上記実施形態において、前記システム情報テーブルは、有効領域とは暗示的なマッピング関係が存在する。または、前記システム情報テーブルは、前記システム情報テーブルの有効領域の記述情報をさらに含む。
【００７５】
当該実施形態において、前記システム情報テーブルの有効領域を暗示的または明示的に特定できる。ここで、上記暗示的なマッピング関係は、ユーザ端末が上記システム情報テーブルを取得したときに当該システム情報テーブルの有効領域を設定し、またはデフォルトとする。たとえば、ユーザ端末の出荷時にそのシステム情報テーブルの有効領域をある事業者に設定する。もちろん、ユーザ端末は、後でシステム情報テーブルを取得する際にその有効領域をある事業者またはあるシステム情報領域などに設定してもよい。また、上記暗示的なマッピング関係は、１組または複数組のシステム情報インデックス（ＳＩ  ｔａｂｌｅ  ｉｎｄｅｘｅｓ）で示すシステム情報およびパラメータ設定と有効領域のマッピング関係であってもよい。たとえば、事業者のＰＬＭＮ（Ｐｕｂｌｉｃ  Ｌａｎｄ  Ｍｏｂｉｌｅ  Ｎｅｔｗｏｒｋ）は、デフォルトのシステム情報およびパラメータ設定に対応する。当該デフォルトのシステム情報およびパラメータ設定は、１組または複数組のシステム情報インデックス（ＳＩ  ｔａｂｌｅ  ｉｎｄｅｘｅｓ）で示す当該システム情報およびパラメータ設定である。上記暗示的なマッピング関係によれば、システム情報の取得に際し、ユーザ端末は、システム情報テーブルインデックスを取得するだけで、対応するシステム情報を取得することができ、ほかの情報を取得する必要がないため、ネットワーク伝送リソースのコストを軽減する。
【００７６】
上記有効領域の記述情報は、上記システム情報テーブルの有効領域を示しまたは記述するための情報であり、リストまたはＩＤなどであるが、これについて本開示の実施例では限定しない。ユーザ端末は、取得したシステム情報を使用することが必要となると、上記暗示的なマッピング関係または上記有効領域の記述情報に基づいて、上記システム情報テーブルがユーザ端末の現領域またはセルで有効であるかを特定することができる。有効であれば、当該システム情報テーブルからシステム情報を取得することができるが、無効であれば、別のシステム情報テーブルを新たに取得する。
【００７７】
選択可能に、前記記述情報は、システム情報領域ＩＤリスト、セルＩＤリストおよびネットワーク側機器ＩＤリストのうちの１つまたは複数、または、前記システム情報テーブルの有効領域を識別するためのシステム情報テーブルＩＤ（ＳＩ  ｔａｂｌｅ  ＩＤ）を含む。
【００７８】
当該実施形態において、システム情報テーブルに上記リストを含むため、上記システム情報テーブルの有効領域を特定することができる。また、上記記述情報は、ネットワークノードリストと理解してもよい。たとえば、システム情報領域ＩＤリスト（ＳＩＡ  ＩＤ  ｌｉｓｔ）、セルＩＤリスト（Ｃｅｌｌ  ＩＤ  ｌｉｓｔ）またはＴＲＰ  ＩＤリスト（ＴＲＰ  ＩＤ  ｌｉｓｔ）を、システム情報テーブルの有効領域内のネットワークノードリストとする。
【００７９】
しかも、上記システム情報テーブルＩＤ（ＳＩ  ｔａｂｌｅ  ＩＤ）によって、システム情報テーブルの有効領域を特定することができる。たとえば、上記システム情報テーブルの有効領域内の１つまたは複数のＳＩＡ／Ｃｅｌｌ／ＴＲＰは、同一のシステム情報テーブルＩＤを有する。これらのＳＩＡ／Ｃｅｌｌ／ＴＲＰから同一のＳＩ  ｔａｂｌｅ  ＩＤが送信されるため、上記システム情報テーブルの有効が特定される。
【００８０】
選択可能に、前記ユーザ端末が、ネットワーク側機器から送信されるシステム情報テーブルインデックスを受信することは、前記ユーザ端末が、ネットワーク側機器の周期性放送またはオンデマンド送信のシステム情報テーブルインデックスを受信することを含む。前記ユーザ端末が、前記システム情報テーブルインデックスおよび予め取得したシステム情報テーブルに基づいて、システム情報を取得することは、前記ユーザ端末が、受信した前記システム情報テーブルインデックスが前記システム情報テーブルに含まれるかを判断し、そうである場合、前記システム情報テーブルが有効であると特定するが、そうでなければ、前記システム情報テーブルが無効であると特定することと、前記システム情報テーブルが有効であれば、前記ユーザ端末が、受信した前記システム情報テーブルインデックスに対応するシステム情報を前記システム情報テーブルから検索することとを含む。
【００８１】
当該実施形態において、上記システム情報テーブルインデックスは、ネットワーク側機器から周期的に放送され、またはオンデマンド送信される。たとえば、ネットワーク側機器は、ユーザ端末から送信されるオンデマンドシステム情報要求メッセージを受信すると、オンデマンドシステム情報応答メッセージを当該ユーザ端末に送信または放送する。当該応答メッセージには、上記システム情報テーブルインデックスを含む。しかも、上記オンデマンドシステム情報要求メッセージは、ネットワーク側機器から所定期間内に上記システム情報テーブルインデックスが送信されないことをユーザ端末が特定した際に送信される。たとえば、ユーザ端末は、ネットワーク側機器から放送されるシステム情報によって、ネットワーク側機器から次の周期でシステム情報テーブルインデックスが送信されないと特定し、オンデマンド方式で上記システム情報テーブルインデックスを取得する。また、当該実施形態において、システム情報テーブルには、受信した上記システム情報テーブルインデックスを含む。すなわち、ネットワーク側機器からユーザ端末に送信されるシステム情報テーブルインデックスが、上記システム情報テーブルのインデックスリストにあると、上記システム情報テーブルが有効であると特定し、対応するシステム情報を取得することができる。無効であれば、ユーザ端末は、新規のシステム情報テーブルを取得し、新規のシステム情報インデックスの送受信プロセスを行う。ここで、新規のシステム情報テーブルの取得は、ステップ２０２のシステム情報テーブル取得方式を参照されたく、ここでは繰り返して記載しない。
【００８２】
また、当該実施形態において、周期性放送のシステム情報のＳＩ  ｔａｂｌｅ  ｉｎｄｅｘは、周期的に放送されて送信されるが、オンデマンドシステム情報のＳＩ  ｔａｂｌｅ  ｉｎｄｅｘは、周期的に放送されて送信され、またはオンデマンド送信される。もちろん、周期的に放送されるシステム情報のＳＩ  ｔａｂｌｅ  ｉｎｄｅｘがオンデマンド送信されることも除外されない。一部のシーンでは、上記ネットワーク側機器は、１つまたは複数のＳＩＡでのネットワーク側機器であり、または、１つのまたは複数のＣｅｌｌでのネットワーク側機器であり、または、１つのまたは複数のネットワーク側機器である。すなわち、ユーザ端末は、１つのまたは複数のネットワーク側機器から送信されるシステム情報テーブルインデックスを取得し、上記方式で対応するシステム情報を取得することができる。
【００８３】
当該実施形態において、ユーザ端末とネットワーク側機器の間で上記システム情報テーブルインデックスのみが伝送されるため、ネットワーク伝送リソースのコストをさらに軽減することができる。
【００８４】
選択可能に、前記方法は、前記ユーザ端末が、前記ネットワーク側機器に対応するＩＤであって、システム情報領域ＩＤ、セルＩＤまたはネットワーク側機器ＩＤを含むＩＤを検出することと、前記ユーザ端末が、検出したＩＤに基づいて、前記ネットワーク側機器が前記システム情報テーブルの有効領域にあるかを判断し、そうである場合、前記システム情報テーブルが有効であると特定するが、そうでなければ、前記システム情報テーブルが無効であると特定することとをさらに含む。前記ユーザ端末が、ネットワーク側機器から送信されるシステム情報テーブルインデックスを受信することは、前記システム情報テーブルが有効である場合、前記ユーザ端末が、ネットワーク側機器の周期性放送またはオンデマンド送信のシステム情報テーブルインデックスを受信することを含む。前記ユーザ端末が、前記システム情報テーブルインデックスおよび予め取得したシステム情報テーブルに基づいて、システム情報を取得することは、前記ユーザ端末が、受信した前記システム情報テーブルインデックスに対応するシステム情報を前記システム情報テーブルから検索することを含む。
【００８５】
ここで、上記の前記ネットワーク側機器に対応するＩＤを検出することは、ユーザ端末が物理レイヤで前記ネットワーク側機器に対応するＩＤを検出することである。しかも、上記ネットワーク側機器に対応するＩＤは、当該ネットワーク側機器が位置するＳＩＡのＩＤであり、または位置するセルのＩＤである。上記ネットワーク側機器は、１つまたは複数のＳＩＡでのネットワーク側機器であり、または、１つのまたは複数のＣｅｌｌでのネットワーク側機器であり、または、１つのまたは複数のネットワーク側機器である。たとえば、ユーザ端末は、物理レイヤで、１つまたは複数のＳＩＡ、または、１つまたは複数のＣｅｌｌ、または、１つまたは複数のＴＲＰを発見し、対応するＳＩＡ  ＩＤ、Ｃｅｌｌ  ＩＤまたはＴＲＰ  ＩＤを取得し、格納したＳＩＡ  ＩＤ／Ｃｅｌｌ  ＩＤ／ＴＲＰ  ＩＤ  ｌｉｓｔと比較する。リストにあれば、格納したＳＩ  ｔａｂｌｅの内容が有効であるとするが、そうでなければ、無効とする。ＳＩ  ｔａｂｌｅの内容が有効である場合、ＵＥは、１つまたは複数のＳＩＡ／Ｃｅｌｌ／ＴＲＰから送信されるＳＩ  ｔａｂｌｅ  ｉｎｄｅｘを受信し、格納したＳＩ  ｔａｂｌｅを検索して対応するＳＩＢの内容を発見する。ＳＩ  ｔａｂｌｅの内容が無効である場合、ユーザ端末は、以上記載したシステム情報テーブルの取得方法で新規のＳＩ  ｔａｂｌｅを受信し、新規のシステム情報インデックスの送受信プロセスを行う。なお、上記システム情報テーブルが一部のＳＩＡ、Ｃｅｌｌまたはネットワーク側機器に対し有効であれば、ユーザ端末は、これらのＳＩＡ、Ｃｅｌｌまたはネットワーク側機器から送信されるシステム情報テーブルインデックスに対応するシステム情報を取得し、新規のシステム情報テーブルも取得することによって、ほかのＳＩＡ、Ｃｅｌｌまたはネットワーク側機器から送信されるシステム情報テーブルインデックスに対応するシステム情報を取得する。
【００８６】
当該実施形態において、上記システム情報テーブルの有効を特定した後に、上記ネットワーク側機器から送信されるシステム情報テーブルインデックスを取得するため、上記システム情報テーブルが無効であっても上記ネットワーク側機器から送信されるシステム情報テーブルインデックスを取得することが避けられ、ネットワーク伝送リソースのコストをさらに軽減することができる。上記システム情報テーブルが無効であれば、ユーザ端末が上記ネットワーク側機器から送信されるシステム情報テーブルインデックスを取得しても無意味である。
【００８７】
選択可能に、前記ユーザ端末が、ネットワーク側機器から送信されるシステム情報テーブルインデックスを受信することは、前記ユーザ端末が、ネットワーク側機器の周期性放送またはオンデマンド送信のシステム情報テーブルインデックス、および、システム情報テーブルＩＤを受信することを含む。前記ユーザ端末が、前記システム情報テーブルインデックスおよび予め取得したシステム情報テーブルに基づいて、システム情報を取得することは、前記ユーザ端末が、受信した前記システム情報テーブルＩＤが前記システム情報テーブルでのシステム情報テーブルＩＤとは同一であるかを判断し、そうである場合、前記システム情報テーブルが有効であると特定するが、そうでなければ、前記システム情報テーブルが無効であると特定することと、前記システム情報テーブルが有効であれば、前記ユーザ端末が、受信した前記システム情報テーブルインデックスに対応するシステム情報を前記システム情報テーブルから検索することとを含む。
【００８８】
当該実施例において、ネットワーク側機器からユーザ端末にシステム情報テーブルインデックスとシステム情報テーブルＩＤを送信する。たとえば、システム情報テーブルインデックスとシステム情報テーブルＩＤを同一のメッセージによって送信するか同時に送信する。同様に、上記ネットワーク側機器は、１つまたは複数のＳＩＡでのネットワーク側機器であり、または、１つまたは複数のＣｅｌｌでのネットワーク側機器であり、または、１つまたは複数のネットワーク側機器である。このように、ユーザ端末は、１つまたは複数のＳＩＡ／Ｃｅｌｌ／ネットワーク側機器から送信されるＳＩ  ｔａｂｌｅ  ＩＤを取得し、格納したＳＩ  ｔａｂｌｅ  ＩＤと比較する。同一であれば、格納したＳＩ  ｔａｂｌｅの内容が有効であるとするが、そうでなければ、無効と見なす。ＳＩ  ｔａｂｌｅの内容が有効である場合、ＵＥは、１つまたは複数のＳＩＡ／Ｃｅｌｌ／ネットワーク側機器から送信されるＳＩ  ｔａｂｌｅ  ｉｎｄｅｘを受信し、格納したＳＩ  ｔａｂｌｅを検索して対応するＳＩＢの内容を発見する。ＳＩ  ｔａｂｌｅの内容が無効である場合、ユーザ端末は、以上記載したシステム情報テーブルの取得方法で新規のＳＩ  ｔａｂｌｅを受信し、新規のシステム情報インデックスの送受信プロセスを行う。
【００８９】
選択可能に、前記システム情報テーブルインデックスは、１段のシステム情報テーブルインデックスであり、１つまたは複数のシステム情報を含むシステム情報群および前記システム情報群のパラメータ設定を示す。または、前記システム情報テーブルインデックスは、２段のシステム情報テーブルインデックスである。ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す。
【００９０】
当該実施形態において、システム情報テーブルインデックスは、システム情報群およびパラメータ設定を示す。たとえば、ｉｎｄｅｘ１は、ＳＩＢ１〜ＳＩＢ５およびＳＩＢ１〜ＳＩＢ５に対応するパラメータ設定１に対応し、ｉｎｄｅｘ２は、ＳＩＢ１〜ＳＩＢ８およびＳＩＢ１〜ＳＩＢ８に対応するパラメータ設定１に対応し、ｉｎｄｅｘ３は、ＳＩＢ１〜ＳＩＢ５およびＳＩＢ１〜ＳＩＢ５に対応するパラメータ設定２に対応し、ｉｎｄｅｘ４は、ＳＩＢ１〜ＳＩＢ８およびＳＩＢ１〜ＳＩＢ８に対応するパラメータ設定２に対応する。しかも、システム情報テーブルインデックスは、２段のシステム情報テーブルインデックスであってもよい。たとえば、システム情報テーブルインデックスの１段目のインデックスは、１つのシステム情報を示し、２段目のインデックスは、当該システム情報のパラメータ設定を示す。たとえば、ｉｎｄｅｘ（１，２）は、ＳＩＢ１のパラメータ設定２に対応し、ｉｎｄｅｘ（２，１）は、ＳＩＢ２のパラメータ設定１に対応する。
【００９１】
選択可能に、前記方法は、前記ユーザ端末が、前記システム情報テーブルが無効であると判断した場合、新しいシステム情報テーブルを取得するステップをさらに含んでもよい。
【００９２】
上記システム情報テーブルの無効は、以上紹介したシステム情報テーブルインデックス、ネットワーク側機器に対応するＩＤまたはシステム情報テーブルＩＤによって特定される。もちろん、無効は、ほかの方式によって特定されてもよいが、これについて本実施例で限定しない。
【００９３】
なお、本開示の実施例において、以上紹介した多種類の選択可能な実施形態は、互いに組み合わせて実現してもよく、単独で実現してもよいが、これについて本実施例で限定しない。
【００９４】
本開示の実施例において、ユーザ端末は、ネットワーク側機器から送信されるシステム情報テーブルインデックスを受信し、前記システム情報テーブルインデックスおよび予め取得したシステム情報テーブルに基づいてシステム情報を取得する。ここで、前記システム情報テーブルは、システム情報テーブルインデックスと、システム情報と、システム情報のパラメータ設定を含む。このように、システム情報テーブルインデックスのみを伝送するこでで、ユーザ端末は、システム情報を取得することができる。すべてのシステム情報の周期的放送が必要である従来技術に比べ、本開示の実施例によれば、システム情報のコストを軽減することができる。
【００９５】
図３を参照する。本開示の実施例は、システム情報取得方法をさらに提供する。図３に示すように、ネットワーク側機器からユーザ端末にシステム情報テーブルインデックスを送信するステップ３０１を含む。よって、前記ユーザ端末は、前記システム情報テーブルインデックスおよび予め取得したシステム情報テーブルに基づいてシステム情報を取得する。ここで、前記システム情報テーブルは、システム情報テーブルインデックスと、システム情報と、システム情報のパラメータ設定を含む。
【００９６】
選択可能に、前記システム情報テーブルは、前記ネットワーク側機器から前記ユーザ端末への周期性放送のシステム情報テーブル、または、前記ユーザ端末によって事前に設定または記憶されたシステム情報テーブル、または、前記ユーザ端末がダウンロード方式で取得したシステム情報テーブルを含む。
【００９７】
選択可能に、前記システム情報テーブルは、前記ネットワーク側機器の周期性放送のシステム情報および／またはオンデマンドのシステム情報を含む。
【００９８】
選択可能に、前記方法は、前記ネットワーク側機器が、前記ユーザ端末からシステム情報テーブル要求リソースによって送信されるシステム情報テーブル要求を受信することと、前記ネットワーク側機器が、前記システム情報テーブル要求に応じて前記システム情報テーブルを前記ユーザ端末に送信することとをさらに含む。ここで、前記システム情報テーブル要求リソースは、前記ユーザ端末が前記ネットワーク側機器の周期性放送のシステム情報から取得したリソースである。
【００９９】
選択可能に、前記システム情報テーブルは、前記ネットワーク側機器のオンデマンドのシステム情報を含む。
【０１００】
選択可能に、前記システム情報テーブルには、有効領域が存在する。ここで、前記有効領域は、１つまたは複数のシステム情報領域を含み、前記１つまたは複数のシステム情報領域が同一の前記システム情報テーブルを有する。または、前記有効領域は、１つまたは複数のセルを含み、前記１つまたは複数のセルが同一の前記システム情報テーブルを有する。または、前記有効領域は、１つまたは複数のネットワーク側機器を含み、前記１つまたは複数のネットワーク側機器が同一の前記システム情報テーブルを有する。
【０１０１】
選択可能に、前記システム情報テーブルは、有効領域とは暗示的なマッピング関係が存在し、または、前記システム情報テーブルは、前記システム情報テーブルの有効領域の記述情報をさらに含む。
【０１０２】
選択可能に、前記記述情報は、システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【０１０３】
選択可能に、前記ネットワーク側機器からシステム情報テーブルインデックスをユーザ端末に送信することは、前記ネットワーク側機器からシステム情報テーブルインデックスを前記ユーザ端末へ周期的に放送し、またはオンデマンドで送信すること、または、前記ネットワーク側機器からシステム情報テーブルインデックスおよびシステム情報テーブルＩＤを前記ユーザ端末へ周期的に放送し、またはオンデマンドで送信することを含む。
【０１０４】
選択可能に、前記システム情報テーブルインデックスは、１段のシステム情報テーブルインデックスであり、１つまたは複数のシステム情報を含むシステム情報群および前記システム情報群のパラメータ設定を示す。または、前記システム情報テーブルインデックスは、２段のシステム情報テーブルインデックスである。ここで、前記システム情報テーブルインデックスの１段目のインデックスは、システム情報を示す。前記システム情報テーブルインデックスの２段目のインデックスは、前記１段目のインデックスで示すシステム情報のパラメータ設定を示す。
【０１０５】
なお、本実施例は、図２に示す実施例に対応するネットワーク側機器の実施形態として、重複な説明を避けるよう、その具体的な実施形態を図２に示す実施例の関連説明を参照されたく、本実施例では繰り返して記載しない。本実施例において、同様にシステム情報のコストを軽減することができる。
【０１０６】
以下、上記の実施例で紹介した実施形態を複数の例で説明する。
例１：
【０１０７】
当該例は、ＵＥが、ネットワーク側機器からシステム情報テーブルを周期的に放送して送信する方法によって、システム情報インデックスを送受信するプロセスを例として説明する。具体的な動作フローは、以下である。
【０１０８】
ステップ１において、ＵＥ１は、ネットワーク側機器から周期的に放送されるシステム情報テーブルを受信し、その中に周期性放送のシステム情報とオンデマンドのシステム情報が含まれる。ネットワーク側機器から周期的に放送されるシステム情報テーブルは、内容が比較的大きく、放送周期が比較的長く、たとえば５００ｍｓ、１ｓなどである。
【０１０９】
システム情報テーブルは、ＳＩ  ｔａｂｌｅ  ｉｎｄｅｘとＳＩＡ  ＩＤ  ｌｉｓｔを含む。ここで、ＳＩ  ｔａｂｌｅ  ｉｎｄｅｘは、１段のインデックスであり、システム情報群およびパラメータ設定を示す。たとえば、ｉｎｄｅｘ１は、ＳＩＢ１〜ＳＩＢ５に対応する。システム情報テーブルの有効領域は、２つのＳＩＡを含み、ＳＩＡ  ＩＤ  ｌｉｓｔが｛ＳＩＡ  ＩＤ１，ＳＩＡ  ＩＤ２｝である。
【０１１０】
ステップ２において、システム情報テーブルの有効領域内のＳＩＡ１、ＳＩＡ２から、ＳＩ  ｔａｂｌｅ  ｉｎｄｅｘが周期的に放送されて送信される。ＳＩ  ｔａｂｌｅ  ｉｎｄｅｘの放送周期は、システム情報テーブルの放送周期より短く、たとえば１００ｍｓ、２００ｍｓなどである。
【０１１１】
ステップ３において、ＵＥ１は、物理レイヤでＳＩＡ１を検出するとともに、対応するＳＩＡ  ＩＤ１を取得し、格納したＳＩＡ  ＩＤ  ｌｉｓｔと比較する。リストに含まれるため、格納したＳＩ  ｔａｂｌｅが有効であるとする。ＳＩ  ｔａｂｌｅの内容が有効である場合、ＵＥ１は、ＳＩＡ１から送信されるＳＩ  ｔａｂｌｅ  ｉｎｄｅｘを受信し、格納したＳＩ  ｔａｂｌｅを検索して対応するＳＩＢの内容を発見する。
例２：
【０１１２】
当該例は、ＵＥが、システム情報テーブルを予め設定する方法によって、システム情報インデックスを送受信するプロセスを例として説明する。具体的な動作フローは、以下である。
【０１１３】
ステップ１において、３ＧＰＰプロトコルでは、システム情報テーブルおよびデフォルトのパラメータ設定が定義されている。ＵＥメーカーによって、中国モバイル社のカスタムマシンであるＵＥ２の内部には、当該システム情報テーブルが事前に設定／記憶されており、その中に周期性放送のシステム情報が含まれる。
【０１１４】
システム情報テーブルは、複数組のＳＩ  ｔａｂｌｅ  ｉｎｄｅｘｓを含み、中国モバイル社のＰＬＭＮに対応するデフォルトのシステム情報およびパラメータ設定を示す。ここで、ＳＩ  ｔａｂｌｅ  ｉｎｄｅｘは、２段のインデックスである。たとえば、ｉｎｄｅｘ（１，２）は、ＳＩＢ１のパラメータ設定２に対応し、ｉｎｄｅｘ（２，１）は、ＳＩＢ２のパラメータ設定１に対応する。
【０１１５】
ステップ２において、システム情報テーブルの有効領域内の複数のＣｅｌｌから、ＳＩ  ｔａｂｌｅ  ｉｎｄｅｘが周期的に放送されて送信される。すなわち、中国モバイル社のＰＬＭＮの複数のＣｅｌｌ（たとえばＣｅｌｌ１〜Ｃｅｌｌ１０）から、ＳＩ  ｔａｂｌｅ  ｉｎｄｅｘが周期的に放送されて送信される。
【０１１６】
ステップ３において、ＵＥ２は、Ｃｅｌｌ１から送信されるＳＩ  ｔａｂｌｅ  ｉｎｄｅｘｓを受信し、たとえばｉｎｄｅｘ（１，２）、ｉｎｄｅｘ（２，２）を受信する。ＵＥ２は、格納したＳＩ  ｔａｂｌｅ  ｉｎｄｅｘｓと比較する。Ｃｅｌｌ１のｉｎｄｅｘ（１，２）が含まれるため、格納したＳＩ  ｔａｂｌｅの内容が有効であるとする。ＳＩ  ｔａｂｌｅの内容が有効である場合、ＵＥ２は、ＳＩ  ｔａｂｌｅ  ｉｎｄｅｘによって、格納したＳＩ  ｔａｂｌｅを検索し、対応するＳＩＢの内容を発見する。同時に、Ｃｅｌｌ１のｉｎｄｅｘ（２，２）が含まれないため、格納したＳＩ  ｔａｂｌｅの内容が無効であるとする。ＳＩ  ｔａｂｌｅの内容が無効である場合、ＵＥ２は、要求／応答方式で新規のＳＩ  ｔａｂｌｅを新たに取得し、その中にｉｎｄｅｘ（２，２）に対応するＳＩＢ２のパラメータ設定２が含まれる。
例３：
【０１１７】
当該例は、ＵＥが、システム情報テーブルを要求／応答して取得する方法によって、システム情報インデックスを送受信するプロセスを例として説明する。具体的な動作フローは、以下である。
【０１１８】
ステップ１において、ＵＥ３は、ネットワーク側の周期性放送のシステム情報からシステム情報テーブル要求のリソースを取得し、要求／応答方式によってネットワーク側からシステム情報テーブルを取得し、その中にオンデマンドのシステム情報が含まれる。
【０１１９】
システム情報テーブルは、ＳＩ  ｔａｂｌｅ  ｉｎｄｅｘとＳＩ  ｔａｂｌｅ  ＩＤを含む。ここで、ＳＩ  ｔａｂｌｅ  ｉｎｄｅｘは、１段のインデックスであり、システム情報群およびパラメータ設定を示し、たとえば、ｉｎｄｅｘ２がＳＩＢ１〜ＳＩＢ８に対応する。ＳＩ  ｔａｂｌｅ  ＩＤは、システム情報テーブルの有効領域を識別し、たとえば、ＳＩ  ｔａｂｌｅ  ＩＤ１である。システム情報テーブルの有効領域内のＴＲＰ１、ＴＲＰ２は、同一のＳＩ  ｔａｂｌｅ  ＩＤ１を有し、ＴＲＰ１、ＴＲＰ２から同一のＳＩ  ｔａｂｌｅ  ＩＤ１が送信される。
【０１２０】
ステップ２において、システム情報テーブルの有効領域内のＴＲＰ１、ＴＲＰ２から、ＳＩ  ｔａｂｌｅ  ｉｎｄｅｘとＳＩ  ｔａｂｌｅ  ＩＤがオンデマンド送信される。
【０１２１】
ステップ３において、ＵＥ３は、ＴＲＰ１から送信されるＳＩ  ｔａｂｌｅ  ｉｎｄｅｘとＳＩ  ｔａｂｌｅ  ＩＤを要求／応答して取得し、たとえばｉｎｄｅｘ２とＳＩ  ｔａｂｌｅ  ＩＤ１を取得し、格納したＳＩ  ｔａｂｌｅ  ＩＤと比較する。同一であるため、格納したＳＩ  ｔａｂｌｅが有効であるとする。ＳＩ  ｔａｂｌｅの内容が有効である場合、ＵＥ３は、ｉｎｄｅｘ２によって、格納したＳＩ  ｔａｂｌｅを検索し、対応するＳＩＢの内容を発見する。
【０１２２】
図４を参照する。本開示の実施例は、ユーザ端末を提供する。図４に示すように、ユーザ端末４００は、ネットワーク側機器から送信されるシステム情報テーブルインデックスを受信することに用いられる第１受信モジュール４０１と、前記システム情報テーブルインデックスおよび予め取得したシステム情報テーブルに基づいて、システム情報を取得することに用いられる第１取得モジュール４０２とを含む。ここで、前記システム情報テーブルは、システム情報テーブルインデックスと、システム情報と、システム情報のパラメータ設定を含む。
【０１２３】
選択可能に、前記システム情報テーブルは、前記ネットワーク側機器から周期的に放送されて前記ユーザ端末によって受信されたシステム情報テーブル、または、前記ユーザ端末によって事前に設定または記憶されたシステム情報テーブル、または、前記ユーザ端末がダウンロードして取得したシステム情報テーブルを含む。
【０１２４】
選択可能に、前記システム情報テーブルは、前記ネットワーク側機器の周期性放送のシステム情報および／またはオンデマンドのシステム情報を含む。
【０１２５】
選択可能に、図５に示すように、ユーザ端末４００は、前記ユーザ端末が前記ネットワーク側機器の周期性放送のシステム情報から取得したリソースであるシステム情報テーブル要求リソースによって、システム情報テーブル要求を前記ネットワーク側機器に送信することに用いられる要求モジュール４０３と、前記ネットワーク側機器から前記システム情報テーブル要求に応じて送信される前記システム情報テーブルを受信することに用いられる第２受信モジュール４０４とをさらに含む。
【０１２６】
選択可能に、前記システム情報テーブルは、前記ネットワーク側機器のオンデマンドのシステム情報を含む。
【０１２７】
選択可能に、前記システム情報テーブルには、有効領域が存在する。ここで、前記有効領域は、１つまたは複数のシステム情報領域を含み、前記１つまたは複数のシステム情報領域が同一の前記システム情報テーブルを有する。または、前記有効領域は、１つまたは複数のセルを含み、前記１つまたは複数のセルが同一の前記システム情報テーブルを有する。または、前記有効領域は、１つまたは複数のネットワーク側機器を含み、前記１つまたは複数のネットワーク側機器が同一の前記システム情報テーブルを有する。
【０１２８】
選択可能に、前記システム情報テーブルは、有効領域とは暗示的なマッピング関係が存在し、または、前記システム情報テーブルは、前記システム情報テーブルの有効領域の記述情報をさらに含む。
【０１２９】
選択可能に、前記記述情報は、システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【０１３０】
選択可能に、前記第１受信モジュールは、ネットワーク側機器の周期性放送またはオンデマンド送信のシステム情報テーブルインデックスを受信することに用いられる。図６に示すように、第１取得モジュール４０２は、受信した前記システム情報テーブルインデックスが前記システム情報テーブルに含まれるかを判断し、そうである場合、前記システム情報テーブルが有効であると特定するが、そうでなければ、前記システム情報テーブルが無効であると特定することに用いられる第１判定ユニット４０２１と、前記システム情報テーブルが有効であれば、前記ユーザ端末が、受信した前記システム情報テーブルインデックスに対応するシステム情報を前記システム情報テーブルから検索することに用いられる第１検索ユニット４０２２とを含む。
【０１３１】
選択可能に、図７に示すように、ユーザ端末４００は、前記ネットワーク側機器に対応するＩＤであって、システム情報領域ＩＤ、セルＩＤまたはネットワーク側機器ＩＤを含むＩＤを検出することに用いられる検出モジュール４０５と、検出したＩＤに基づいて、前記ネットワーク側機器が前記システム情報テーブルの有効領域にあるかを判断し、そうである場合、前記システム情報テーブルが有効であると特定するが、そうでなければ、前記システム情報テーブルが無効であると特定することに用いられる判定モジュール４０６とをさらに含む。第１受信モジュール４０１は、前記システム情報テーブルが有効である場合、ネットワーク側機器の周期性放送またはオンデマンド送信のシステム情報テーブルインデックスを受信することに用いられる。第１取得モジュール４０２は、受信した前記システム情報テーブルインデックスに対応するシステム情報を前記システム情報テーブルから検索することに用いられる。
【０１３２】
選択可能に、第１受信モジュール４０１は、ネットワーク側機器の周期性放送またはオンデマンド送信のシステム情報テーブルインデックス、および、システム情報テーブルＩＤを受信することに用いられる。図８に示すように、第１取得モジュール４０２は、受信した前記システム情報テーブルＩＤが前記システム情報テーブルでのシステム情報テーブルＩＤとは同一であるかを判断し、そうである場合、前記システム情報テーブルが有効であると特定するが、そうでなければ、前記システム情報テーブルが無効であると特定することに用いられる第２判定ユニット４０２３と、前記システム情報テーブルが有効であれば、受信した前記システム情報テーブルインデックスに対応するシステム情報を前記システム情報テーブルから検索することに用いられる第２検索ユニット４０２４とを含む。
【０１３３】
選択可能に、前記システム情報テーブルインデックスは、１段のシステム情報テーブルインデックスであり、１つまたは複数のシステム情報を含むシステム情報群および前記システム情報群のパラメータ設定を示す。または、前記システム情報テーブルインデックスは、２段のシステム情報テーブルインデックスである。ここで、前記システム情報テーブルインデックスの１段目のインデックスは、システム情報を示す。前記システム情報テーブルインデックスの２段目のインデックスは、前記１段目のインデックスで示すシステム情報のパラメータ設定を示す。
【０１３４】
選択可能に、図９に示すように、ユーザ端末４００は、前記システム情報テーブルが前記ユーザ端末によって無効であると判断される場合、新しいシステム情報テーブルを取得することに用いられる第２取得モジュール４０７をさらに含む。
【０１３５】
なお、本実施例における上記ユーザ端末４００は、本開示の実施例における方法の実施例のいずれの実施形態のユーザ端末であってもよい。本開示の実施例における方法の実施例でユーザ端末のいずれの実施形態は、いずれも本実施例における上記ユーザ端末４００によって実現することができ、同様の有益な効果を奏することができるので、ここでは繰り返して記載しない。
【０１３６】
図１０を参照する。本開示の実施例は、ネットワーク側機器を提供する。図１０に示すように、ネットワーク側機器１０００は、システム情報テーブルインデックスをユーザ端末に送信することに用いられる第１送信モジュール１００１を含む。よって、前記ユーザ端末は、前記システム情報テーブルインデックスおよび予め取得したシステム情報テーブルに基づいて、システム情報を取得する。ここで、前記システム情報テーブルは、システム情報テーブルインデックスと、システム情報と、システム情報のパラメータ設定を含む。
【０１３７】
選択可能に、前記システム情報テーブルは、前記ネットワーク側機器から前記ユーザ端末への周期性放送のシステム情報テーブル、または、前記ユーザ端末が予め設定しまたは予め記憶したシステム情報テーブル、または、前記ユーザ端末がダウンロード方式で取得したシステム情報テーブルを含む。
【０１３８】
選択可能に、前記システム情報テーブルは、前記ネットワーク側機器の周期性放送のシステム情報および／またはオンデマンドのシステム情報を含む。
【０１３９】
選択可能に、図１１に示すように、ネットワーク側機器１０００は、前記ユーザ端末からシステム情報テーブル要求リソースによって送信されるシステム情報テーブル要求を受信することに用いられる受信モジュール１００２と、前記システム情報テーブル要求に応じて前記システム情報テーブルを前記ユーザ端末に送信することに用いられる第２送信モジュール１００３とをさらに含む。ここで、前記システム情報テーブル要求リソースは、前記ユーザ端末が前記ネットワーク側機器の周期性放送のシステム情報から取得したリソースである。
【０１４０】
選択可能に、前記システム情報テーブルは、前記ネットワーク側機器のオンデマンドのシステム情報を含む。
【０１４１】
選択可能に、前記システム情報テーブルには、有効領域が存在する。ここで、前記有効領域は、１つまたは複数のシステム情報領域を含み、前記１つまたは複数のシステム情報領域が同一の前記システム情報テーブルを有する。または、前記有効領域は、１つまたは複数のセルを含み、前記１つまたは複数のセルが同一の前記システム情報テーブルを有する。前記有効領域は、１つまたは複数のネットワーク側機器を含み、前記１つまたは複数のネットワーク側機器が同一の前記システム情報テーブルを有する。
【０１４２】
選択可能に、前記システム情報テーブルは、有効領域とは暗示的なマッピング関係が存在し、または、前記システム情報テーブルは、前記システム情報テーブルの有効領域の記述情報をさらに含む。
【０１４３】
選択可能に、前記記述情報は、システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【０１４４】
選択可能に、前記第１送信モジュールは、システム情報テーブルインデックスを前記ユーザ端末へ周期的に放送しまたはオンデマンドで送信すること、または、システム情報テーブルインデックスおよびシステム情報テーブルＩＤを前記ユーザ端末へ周期的に放送しまたはオンデマンドで送信することに用いられる。
【０１４５】
選択可能に、前記システム情報テーブルインデックスは、１段のシステム情報テーブルインデックスであり、１つまたは複数のシステム情報を含むシステム情報群および前記システム情報群のパラメータ設定を示す。または、前記システム情報テーブルインデックスは、２段のシステム情報テーブルインデックスである。ここで、前記システム情報テーブルインデックスの１段目のインデックスは、システム情報を示す。前記システム情報テーブルインデックスの２段目のインデックスは、前記１段目のインデックスで示すシステム情報のパラメータ設定を示す。
【０１４６】
なお、本実施例における上記ネットワーク側機器１０００は、本開示の実施例における方法の実施例のいずれの実施形態のネットワーク側機器であってもよい。本開示の実施例における方法の実施例でネットワーク側機器のいずれの実施形態は、いずれも本実施例における上記ネットワーク側機器１０００によって実現することができ、同様の有益な効果を奏することができるので、ここでは繰り返して記載しない。
【０１４７】
図１２を参照する。本開示の実施例は、別のユーザ端末の構造を提供する。当該ユーザ端末は、プロセッサ１２００と、トランシーバ１２１０と、メモリ１２２０と、ユーザインタフェース１２３０と、バスインタフェースを含む。プロセッサ１２００は、メモリ１２２０からプログラムを読み取って、ネットワーク側機器から送信されるシステム情報テーブルインデックスをトランシーバ１２１０で受信し、前記システム情報テーブルインデックスおよび予め取得したシステム情報テーブルに基づいて、システム情報を取得するプロセスを実行することに用いられる。ここで、前記システム情報テーブルは、システム情報テーブルインデックスと、システム情報と、システム情報のパラメータ設定を含む。トランシーバ１２１０は、プロセッサ１２００による制御でデータを送受信することに用いられる。
【０１４８】
図１２において、バスアーキテクチャは、任意数の相互接続するバスとブリッジを含み、具体的に、プロセッサ１２００をはじめとする１つ又は複数のプロセッサとメモリ１２２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１２１０は、複数の部品であってもよく、即ち送信機と受信機を含み、伝送媒体でほかの各種類の装置と通信するユニットとして提供される。ユーザ端末によっては、ユーザインタフェース１２３０は、内部接続や外部接続する機器のインタフェースであってもよい。接続する機器は、キーパッド、ディスプレイ、スピーカ、マイクロフォン、ジョイスティックなどを含むが、それらに限られない。
【０１４９】
プロセッサ１２００は、バスアーキテクチャと通常の処理を管理する。メモリ１２２０は、プロセッサ１２００による作業時に使用されるデータを記憶できる。
【０１５０】
選択可能に、前記システム情報テーブルは、前記ネットワーク側機器から周期的に放送されて前記ユーザ端末によって受信されたシステム情報テーブル、または、前記ユーザ端末によって事前に設定または記憶されたシステム情報テーブル、または、前記ユーザ端末がダウンロードして取得したシステム情報テーブルを含む。選択可能に、前記システム情報テーブルは、前記ネットワーク側機器の周期性放送のシステム情報および／またはオンデマンドのシステム情報を含む。
【０１５１】
選択可能に、プロセッサ１２００は、さらに、トランシーバ１２１０および前記ユーザ端末が前記ネットワーク側機器の周期性放送のシステム情報から取得したリソースであるシステム情報テーブル要求リソースによって、システム情報テーブル要求を前記ネットワーク側機器に送信することと、前記ネットワーク側機器から前記システム情報テーブル要求に応じて送信される前記システム情報テーブルをトランシーバ１２１０で受信することに用いられる。
【０１５２】
選択可能に、前記システム情報テーブルは、前記ネットワーク側機器のオンデマンドのシステム情報を含む。
【０１５３】
選択可能に、前記システム情報テーブルには、有効領域が存在する。ここで、前記有効領域は、１つまたは複数のシステム情報領域を含み、前記１つまたは複数のシステム情報領域が同一の前記システム情報テーブルを有する。または、前記有効領域は、１つまたは複数のセルを含み、前記１つまたは複数のセルが同一の前記システム情報テーブルを有する。または、前記有効領域は、１つまたは複数のネットワーク側機器を含み、前記１つまたは複数のネットワーク側機器が同一の前記システム情報テーブルを有する。
【０１５４】
選択可能に、前記システム情報テーブルは、有効領域とは暗示的なマッピング関係が存在し、または、前記システム情報テーブルは、前記システム情報テーブルの有効領域の記述情報をさらに含む。
【０１５５】
選択可能に、前記記述情報は、システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【０１５６】
選択可能に、ネットワーク側機器から送信されるシステム情報テーブルインデックスを受信することは、ネットワーク側機器の周期性放送またはオンデマンド送信のシステム情報テーブルインデックスをトランシーバ１２１０で受信することを含む。前記システム情報テーブルインデックスおよび予め取得したシステム情報テーブルに基づいて、システム情報を取得することは、受信した前記システム情報テーブルインデックスが前記システム情報テーブルに含まれるかを判断し、そうである場合、前記システム情報テーブルが有効であると特定するが、そうでなければ、前記システム情報テーブルが無効であると特定することと、前記システム情報テーブルが有効であれば、前記ユーザ端末が、受信した前記システム情報テーブルインデックスに対応するシステム情報を前記システム情報テーブルから検索することとを含む。
【０１５７】
選択可能に、プロセッサ１２００は、さらに、前記ネットワーク側機器に対応するＩＤであって、システム情報領域ＩＤ、セルＩＤまたはネットワーク側機器ＩＤを含むＩＤを検出することと、検出したＩＤに基づいて、前記ネットワーク側機器が前記システム情報テーブルの有効領域にあるかを判断し、そうである場合、前記システム情報テーブルが有効であると特定するが、そうでなければ、前記システム情報テーブルが無効であると特定することとに用いられる。前記ネットワーク側機器から送信されるシステム情報テーブルインデックスを受信することは、前記システム情報テーブルが有効である場合、ネットワーク側機器の周期性放送またはオンデマンド送信のシステム情報テーブルインデックスをトランシーバ１２１０で受信することを含む。前記システム情報テーブルインデックスおよび予め取得したシステム情報テーブルに基づいて、システム情報を取得することは、受信した前記システム情報テーブルインデックスに対応するシステム情報を前記システム情報テーブルから検索することを含む。
【０１５８】
選択可能に、前記ネットワーク側機器から送信されるシステム情報テーブルインデックスを受信することは、ネットワーク側機器の周期性放送またはオンデマンド送信のシステム情報テーブルインデックス、および、システム情報テーブルＩＤをトランシーバ１２１０で受信することを含む。前記システム情報テーブルインデックスおよび予め取得したシステム情報テーブルに基づいて、システム情報を取得することは、前記ユーザ端末が、受信した前記システム情報テーブルＩＤが前記システム情報テーブルでのシステム情報テーブルＩＤとは同一であるかを判断し、そうである場合、前記システム情報テーブルが有効であると特定するが、そうでなければ、前記システム情報テーブルが無効であると特定することと、前記システム情報テーブルが有効であれば、前記ユーザ端末が、受信した前記システム情報テーブルインデックスに対応するシステム情報を前記システム情報テーブルから検索することとを含む。
【０１５９】
選択可能に、前記システム情報テーブルインデックスは、１段のシステム情報テーブルインデックスであり、１つまたは複数のシステム情報を含むシステム情報群および前記システム情報群のパラメータ設定を示す。または、前記システム情報テーブルインデックスは、２段のシステム情報テーブルインデックスである。ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す。
【０１６０】
選択可能に、プロセッサ１２００は、さらに、前記ユーザ端末が、前記システム情報テーブルが無効であると判断した場合、新しいシステム情報テーブルを取得することに用いられる。
【０１６１】
なお、本実施例における上記ユーザ端末は、本開示の実施例における方法の実施例のいずれの実施形態のユーザ端末であってもよい。本開示の実施例における方法の実施例でユーザ端末のいずれの実施形態は、いずれも本実施例における上記ユーザ端末によって実現することができ、同様の有益な効果を奏することができるので、ここでは繰り返して記載しない。
【０１６２】
図１３を参照する。ネットワーク側機器の構造が図示されている。当該ネットワーク側機器は、プロセッサ１３００と、トランシーバ１３１０と、メモリ１３２０と、ユーザインタフェース１２３０と、バスインタフェースを含む。プロセッサ１３００は、メモリ１３２０からプログラムを読み取って、トランシーバ１３１０でユーザ端末にシステム情報テーブルインデックスを送信するプロセスを実行することに用いられる。よって、前記ユーザ端末は、前記システム情報テーブルインデックスおよび予め取得したシステム情報テーブルに基づいて、システム情報を取得する。ここで、前記システム情報テーブルは、システム情報テーブルインデックスと、システム情報と、システム情報のパラメータ設定を含む。トランシーバ１３１０は、プロセッサ１３００による制御でデータを送受信することに用いられる。
【０１６３】
図１３において、バスアーキテクチャは、任意数の相互接続するバスとブリッジを含み、具体的に、プロセッサ１３００をはじめとする１つ又は複数のプロセッサとメモリ１３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１３１０は、複数の部品であってもよく、即ち送信機と受信機を含み、伝送媒体でほかの各種類の装置と通信するユニットとして提供される。ユーザ端末によっては、ユーザインタフェース１２３０は、内部接続や外部接続する機器のインタフェースであってもよい。接続する機器は、キーパッド、ディスプレイ、スピーカ、マイクロフォン、ジョイスティックなどを含むが、それらに限られない。
【０１６４】
プロセッサ１３００は、バスアーキテクチャと通常の処理を管理する。メモリ１３２０は、プロセッサ１３００による作業時に使用されるデータを記憶できる。
【０１６５】
選択可能に、前記システム情報テーブルは、前記ネットワーク側機器から前記ユーザ端末への周期性放送のシステム情報テーブル、または、前記ユーザ端末によって事前に設定または記憶されたシステム情報テーブル、または、前記ユーザ端末がダウンロードして取得したシステム情報テーブルを含む。
【０１６６】
選択可能に、前記システム情報テーブルは、前記ネットワーク側機器の周期性放送のシステム情報および／またはオンデマンドのシステム情報を含む。
【０１６７】
選択可能に、プロセッサ１３００は、さらに、前記ユーザ端末からシステム情報テーブル要求リソースによって送信されるシステム情報テーブル要求をトランシーバ１３１０で受信することと、前記システム情報テーブル要求に応じて前記システム情報テーブルをトランシーバ１３１０で前記ユーザ端末に送信することとに用いられる。ここで、前記システム情報テーブル要求リソースは、前記ユーザ端末が前記ネットワーク側機器の周期性放送のシステム情報から取得したリソースである。
【０１６８】
選択可能に、前記システム情報テーブルは、前記ネットワーク側機器のオンデマンドのシステム情報を含む。
【０１６９】
選択可能に、前記システム情報テーブルには、有効領域が存在する。ここで、前記有効領域は、１つまたは複数のシステム情報領域を含み、前記１つまたは複数のシステム情報領域が同一の前記システム情報テーブルを有する。または、前記有効領域は、１つまたは複数のセルを含み、前記１つまたは複数のセルが同一の前記システム情報テーブルを有する。または、前記有効領域は、１つまたは複数のネットワーク側機器を含み、前記１つまたは複数のネットワーク側機器が同一の前記システム情報テーブルを有する。
【０１７０】
選択可能に、前記システム情報テーブルは、有効領域とは暗示的なマッピング関係が存在し、または、前記システム情報テーブルは、前記システム情報テーブルの有効領域の記述情報をさらに含む。
【０１７１】
選択可能に、前記記述情報は、システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む。
【０１７２】
選択可能に、前記ネットワーク側機器からシステム情報テーブルインデックスをユーザ端末に送信することは、前記ネットワーク側機器からシステム情報テーブルインデックスを前記ユーザ端末へ周期的に放送し、またはオンデマンドで送信すること、または、前記ネットワーク側機器からシステム情報テーブルインデックスおよびシステム情報テーブルＩＤを前記ユーザ端末へ周期的に放送し、またはオンデマンドで送信することを含む。
【０１７３】
選択可能に、前記システム情報テーブルインデックスは、１段のシステム情報テーブルインデックスであり、１つまたは複数のシステム情報を含むシステム情報群および前記システム情報群のパラメータ設定を示す。または、前記システム情報テーブルインデックスは、２段のシステム情報テーブルインデックスである。ここで、前記システム情報テーブルインデックスの１段目のインデックスは、システム情報を示す。前記システム情報テーブルインデックスの２段目のインデックスは、前記１段目のインデックスで示すシステム情報のパラメータ設定を示す。
【０１７４】
なお、本実施例における上記ネットワーク側機器は、本開示の実施例における方法の実施例のいずれの実施形態のネットワーク側機器であってもよい。本開示の実施例における方法の実施例でネットワーク側機器のいずれの実施形態は、いずれも本実施例における上記ネットワーク側機器によって実現することができ、同様の有益な効果を奏することができるので、ここでは繰り返して記載しない。
【０１７５】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１７６】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実現することができる。
【０１７７】
上述したソフトウェア機能ユニットの形態で実現される一体化ユニットは、コンピュータ読み取り可能な記憶媒体に格納されてもよい。上記ソフトウェア機能ユニットは、記憶媒体に記憶され、本開示の各実施例に記載の送受信方法のステップの一部をコンピュータ装置（パーソナルコンピュータ、サーバ、又はネットワーク装置であってもよい）に実行させるためのいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１７８】
以上の記載は、本開示の好ましい実施形態である。なお、当業者にとって、本開示に記載した原理を逸脱することなくいくつかの改良や修飾を行うこともできる。これらの改良や修飾も、本開示の保護範囲として見なされるべきである。
【図１】
2019531021.tif 000003
【図２】
2019531021.tif 000004
【図３】
2019531021.tif 000005
【図４】
2019531021.tif 000006
【図５】
2019531021.tif 000007
【図６】
2019531021.tif 000008
【図７】
2019531021.tif 000009
【図８】
2019531021.tif 000010
【図９】
2019531021.tif 000011
【図１０】
2019531021.tif 000012
【図１１】
2019531021.tif 000013
【図１２】
2019531021.tif 000014
【図１３】
2019531021.tif 000015
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
ユーザ端末が、ネットワーク側機器から送信されるシステム情報テーブルインデックスを受信することと、
前記ユーザ端末が、前記システム情報テーブルインデックスおよび予め取得したシステム情報テーブルに基づいて、システム情報を取得することとを含み、
ここで、前記システム情報テーブルは、システム情報テーブルインデックスと、システム情報と、システム情報のパラメータ設定を含むシステム情報取得方法。
【請求項２】
前記システム情報テーブルは、
前記ネットワーク側機器から周期的に放送されて前記ユーザ端末によって受信されたシステム情報テーブル、
または、前記ユーザ端末によって事前に設定または記憶されたシステム情報テーブル、
または、前記ユーザ端末がダウンロードして取得したシステム情報テーブルを含み、
前記システム情報テーブルは、前記ネットワーク側機器の周期性放送のシステム情報および／またはオンデマンドのシステム情報を含む請求項１に記載の方法。
【請求項３】
前記ユーザ端末が、前記ネットワーク側機器の周期性放送のシステム情報から取得したリソースであるシステム情報テーブル要求リソースによって、システム情報テーブル要求を前記ネットワーク側機器に送信することと、
前記ユーザ端末が、前記ネットワーク側機器から前記システム情報テーブル要求に応じて送信される前記システム情報テーブルを受信することとをさらに含み、
前記システム情報テーブルは、前記ネットワーク側機器のオンデマンドのシステム情報を含む請求項１に記載の方法。
【請求項４】
前記システム情報テーブルには、有効領域が存在し、
ここで、前記有効領域は、１つまたは複数のシステム情報領域を含み、前記１つまたは複数のシステム情報領域が同一の前記システム情報テーブルを有し、
または、前記有効領域は、１つまたは複数のセルを含み、前記１つまたは複数のセルが同一の前記システム情報テーブルを有し、
または、前記有効領域は、１つまたは複数のネットワーク側機器を含み、前記１つまたは複数のネットワーク側機器が同一の前記システム情報テーブルを有する請求項１に記載の方法。
【請求項５】
前記システム情報テーブルは、有効領域とは暗示的なマッピング関係が存在し、
または、前記システム情報テーブルは、前記システム情報テーブルの有効領域の記述情報をさらに含み、
前記記述情報は、
システム情報領域ＩＤリスト、セルＩＤリストおよびネットワーク側機器ＩＤリストのうちの１つまたは複数、または、前記システム情報テーブルの有効領域を識別するためのシステム情報テーブルＩＤを含む請求項４に記載の方法。
【請求項６】
前記ユーザ端末が、ネットワーク側機器から送信されるシステム情報テーブルインデックスを受信することは、
前記ユーザ端末が、ネットワーク側機器の周期性放送またはオンデマンド送信のシステム情報テーブルインデックスを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルインデックスが前記システム情報テーブルに含まれるかを判断し、そうである場合、前記システム情報テーブルが有効であると特定するが、そうでなければ、前記システム情報テーブルが無効であると特定することと、
前記システム情報テーブルが有効であれば、前記ユーザ端末が、受信した前記システム情報テーブルインデックスに対応するシステム情報を前記システム情報テーブルから検索することとを含む請求項１〜５のいずれか一項に記載の方法。
【請求項７】
前記ユーザ端末が、前記ネットワーク側機器に対応するＩＤであって、システム情報領域ＩＤ、セルＩＤまたはネットワーク側機器ＩＤを含むＩＤを検出することと、
前記ユーザ端末が、検出したＩＤに基づいて、前記ネットワーク側機器が前記システム情報テーブルの有効領域にあるかを判断し、そうである場合、前記システム情報テーブルが有効であると特定するが、そうでなければ、前記システム情報テーブルが無効であると特定することとをさらに含み、
前記ユーザ端末が、ネットワーク側機器から送信されるシステム情報テーブルインデックスを受信することは、
前記システム情報テーブルが有効である場合、前記ユーザ端末が、ネットワーク側機器の周期性放送またはオンデマンド送信のシステム情報テーブルインデックスを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルインデックスに対応するシステム情報を前記システム情報テーブルから検索することを含む請求項１〜５のいずれか一項に記載の方法。
【請求項８】
前記ユーザ端末が、ネットワーク側機器から送信されるシステム情報テーブルインデックスを受信することは、
前記ユーザ端末が、ネットワーク側機器の周期性放送またはオンデマンド送信のシステム情報テーブルインデックス、および、システム情報テーブルＩＤを受信することを含み、
前記ユーザ端末が、前記システム情報テーブルインデックスおよび予め取得したシステム情報テーブルに基づいて、システム情報を取得することは、
前記ユーザ端末が、受信した前記システム情報テーブルＩＤが前記システム情報テーブルでのシステム情報テーブルＩＤとは同一であるかを判断し、そうである場合、前記システム情報テーブルが有効であると特定するが、そうでなければ、前記システム情報テーブルが無効であると特定することと、
前記システム情報テーブルが有効であれば、前記ユーザ端末が、受信した前記システム情報テーブルインデックスに対応するシステム情報を前記システム情報テーブルから検索することとを含む請求項１〜５のいずれか一項に記載の方法。
【請求項９】
前記システム情報テーブルインデックスは、１段のシステム情報テーブルインデックスであり、１つまたは複数のシステム情報を含むシステム情報群および前記システム情報群のパラメータ設定を示し、
または、前記システム情報テーブルインデックスは、２段のシステム情報テーブルインデックスであり、ここで、前記システム情報テーブルインデックスの１段目のインデックスは、システム情報を示し、前記システム情報テーブルインデックスの２段目のインデックスは、前記１段目のインデックスで示すシステム情報のパラメータ設定を示す請求項１〜５のいずれか一項に記載の方法。
【請求項１０】
前記ユーザ端末が、前記システム情報テーブルが無効であると判断した場合、新しいシステム情報テーブルを取得することをさらに含む請求項１〜５のいずれか一項に記載の方法。
【請求項１１】
ネットワーク側機器からユーザ端末にシステム情報テーブルインデックスを送信することを含み、
よって、前記ユーザ端末は、前記システム情報テーブルインデックスおよび予め取得したシステム情報テーブルに基づいて、システム情報を取得し、
ここで、前記システム情報テーブルは、システム情報テーブルインデックスと、システム情報と、システム情報のパラメータ設定を含むシステム情報取得方法。
【請求項１２】
前記システム情報テーブルは、
前記ネットワーク側機器から前記ユーザ端末への周期性放送のシステム情報テーブル、
または、前記ユーザ端末によって事前に設定または記憶されたシステム情報テーブル、
または、前記ユーザ端末がダウンロードして取得したシステム情報テーブルを含み、
前記システム情報テーブルは、前記ネットワーク側機器の周期性放送のシステム情報および／またはオンデマンドのシステム情報を含む請求項１１に記載の方法。
【請求項１３】
前記ネットワーク側機器が、前記ユーザ端末からシステム情報テーブル要求リソースによって送信されるシステム情報テーブル要求を受信することと、
前記ネットワーク側機器が、前記システム情報テーブル要求に応じて前記システム情報テーブルを前記ユーザ端末に送信することとをさらに含み、
ここで、前記システム情報テーブル要求リソースは、前記ユーザ端末が前記ネットワーク側機器の周期性放送のシステム情報から取得したリソースであり、
前記システム情報テーブルは、前記ネットワーク側機器のオンデマンドのシステム情報を含む請求項１１に記載の方法。
【請求項１４】
ネットワーク側機器から送信されるシステム情報テーブルインデックスを受信することに用いられる第１受信モジュールと、
前記システム情報テーブルインデックスおよび予め取得したシステム情報テーブルに基づいて、システム情報を取得することに用いられる第１取得モジュールとを含み、
ここで、前記システム情報テーブルは、システム情報テーブルインデックスと、システム情報と、システム情報のパラメータ設定を含むユーザ端末。
【請求項１５】
システム情報テーブルインデックスをユーザ端末に送信することに用いられる第１送信モジュールを含み、
よって、前記ユーザ端末は、前記システム情報テーブルインデックスおよび予め取得したシステム情報テーブルに基づいて、システム情報を取得し、
ここで、前記システム情報テーブルは、システム情報テーブルインデックスと、システム情報と、システム情報のパラメータ設定を含むネットワーク側機器。
【国際調査報告】
2019531021.tif 000016
2019531021.tif 000017
2019531021.tif 000018
2019531021.tif 000019